(57)【特許請求の範囲】
【請求項１】
携帯端末と通信装置が移動体内で通信を行う通信システムであって、
前記携帯端末は、
移動体通信網内のいずれかの基地局と通信を行う第１の送受信部と、
前記通信装置と通信を行う第２の送受信部と、
前記第２の送受信部による前記通信装置との接続が確立している場合に、前記第１の送受信部への電力供給を停止する第１の制御部を有し、
前記通信装置は、
前記移動体通信網内のいずれかの基地局と通信を行う第３の送受信部と、
前記携帯端末と通信を行うとともに、前記第３の送受信部とのデータの送受信を行う第４の送受信部と、
前記携帯端末の機能を仮想的に実現し、前記第３の送受信部が前記通信装置の通信圏内にある前記いずれかの基地局から受信したデータを前記第４の送受信部に転送させ、前記携帯端末から前記第４の送受信部が受信し前記第３の送受信部に転送したデータを、前記通信装置の通信圏内にある前記いずれかの基地局へ送信させる第２の制御部を有する、
ことを特徴とする通信システム。
【請求項２】
移動体通信網内のいずれかの基地局と通信を行う第１の送受信部と、移動体内で携帯端末と通信を行うとともに、前記第１の送受信部とのデータの送受信を行う第２の送受信部と、を有する通信装置に、
前記移動体通信網内の前記いずれかの基地局と通信を行う前記携帯端末の機能を仮想的に実現し、前記第１の送受信部が前記通信装置の通信圏内にある前記いずれかの基地局から受信したデータを前記第２の送受信部に転送させる、
処理を実行させることを特徴とする通信プログラム。
【請求項３】
移動体通信網内のいずれかの基地局と通信を行う第１の送受信部と、移動体内で携帯端末と通信を行うとともに、前記第１の送受信部とのデータの送受信を行う第２の送受信部と、を有する通信装置に、
前記移動体通信網内の前記いずれかの基地局と通信を行う前記携帯端末の機能を仮想的に実現し、前記携帯端末から前記第２の送受信部が受信し前記第１の送受信部に転送したデータを、前記通信装置の通信圏内にある前記いずれかの基地局へ送信させる、
処理を実行させることを特徴とする通信プログラム。
【請求項４】
前記通信装置に、
前記携帯端末の機能を仮想的に実現し、前記携帯端末から前記第２の送受信部が受信し前記第１の送受信部に転送したデータを、前記通信装置の通信圏内にある前記いずれかの基地局へ送信させる、
処理を実行させることを特徴とする請求項２に記載の通信プログラム。
【請求項５】
前記通信装置に、
前記第２の送受信部により、前記携帯端末の機能を一意に特定する特定情報を前記携帯端末から受信し、前記機能を仮想的に実現する複数種類の仮想端末の中から、受信した前記特定情報に基づいて、前記携帯端末の仮想端末を抽出させる、
処理を実行させることを特徴とする請求項２〜４のいずれか一つに記載の通信プログラム。
【請求項６】
移動体通信網内のいずれかの基地局と通信を行う第１の送受信部と、移動体内で通信装置と通信を行う第２の送受信部と、を有する携帯端末に、
前記第２の送受信部により、前記携帯端末の機能を仮想的に実現する前記通信装置との接続が確立している場合に、前記第１の送受信部への電力供給を停止する、
処理を実行させることを特徴とする通信プログラム。
【請求項７】
移動体内で携帯端末と通信を行う通信装置であって、
移動体通信網内のいずれかの基地局と通信を行う第１の送受信部と、
移動体内で携帯端末と通信を行うとともに、前記第１の送受信部とのデータの送受信を行う第２の送受信部と、
前記移動体通信網内の前記いずれかの基地局と通信を行う前記携帯端末の機能を仮想的に実現し、前記第１の送受信部が前記通信装置の通信圏内にある前記いずれかの基地局から受信したデータを前記第２の送受信部に転送させる制御部と、
を有することを特徴とする通信装置。
【請求項８】
移動体内で携帯端末と通信を行う通信装置であって、
移動体通信網内のいずれかの基地局と通信を行う第１の送受信部と、
移動体内で携帯端末と通信を行うとともに、前記第１の送受信部とのデータの送受信を行う第２の送受信部と、
前記移動体通信網内の前記いずれかの基地局と通信を行う前記携帯端末の機能を仮想的に実現し、前記携帯端末から前記第２の送受信部が受信し前記第１の送受信部に転送したデータを、前記通信装置の通信圏内にある前記いずれかの基地局へ送信させる制御部と、
を有することを特徴とする通信装置。
【請求項９】
移動体内で通信装置と通信を行う携帯端末であって、
移動体通信網内のいずれかの基地局と通信を行う第１の送受信部と、
前記移動体内で前記通信装置と通信を行う第２の送受信部と、
前記第２の送受信部による、前記携帯端末の機能を仮想的に実現する前記通信装置との接続が確立している場合に、前記第１の送受信部への電力供給を停止する切替手段と、
を有することを特徴とする携帯端末。
【請求項１０】
移動体通信網内のいずれかの基地局と通信を行う第１の送受信部と、移動体内で携帯端末と通信を行うとともに、前記第１の送受信部とのデータの送受信を行う第２の送受信部と、を有する通信装置が、
前記移動体通信網内の前記いずれかの基地局と通信を行う前記携帯端末の機能を仮想的に実現し、前記第１の送受信部が前記通信装置の通信圏内にある前記いずれかの基地局から受信したデータを前記第２の送受信部に転送させる、
処理を実行することを特徴とする通信方法。
【請求項１１】
移動体通信網内のいずれかの基地局と通信を行う第１の送受信部と、移動体内で携帯端末と通信を行うとともに、前記第１の送受信部とのデータの送受信を行う第２の送受信部と、を有する通信装置が、
前記移動体通信網内の前記いずれかの基地局と通信を行う前記携帯端末の機能を仮想的に実現し、前記携帯端末から前記第２の送受信部が受信し前記第１の送受信部に転送したデータを、前記通信装置の通信圏内にある前記いずれかの基地局へ送信させる、
処理を実行することを特徴とする通信方法。
【請求項１２】
移動体通信網内のいずれかの基地局と通信を行う第１の送受信部と、移動体内で通信装置と通信を行う第２の送受信部と、を有する携帯端末が、
前記第２の送受信部により、前記携帯端末の機能を仮想的に実現する前記通信装置との接続が確立している場合に、前記第１の送受信部への電力供給を停止する、
処理を実行することを特徴とする通信方法。
【発明の詳細な説明】
【技術分野】
【０００１】
本発明は、通信を行う通信システム、通信プログラム、通信装置、携帯端末、および通信方法に関する。
【背景技術】
【０００２】
近年、携帯端末の分野において、バッテリ持続時間を延長する観点から、携帯端末の消費電力の削減が図られている。ここで、携帯端末がインターネットへ接続する場合の消費電力は、インターネットへの接続手段によって異なる。
【０００３】
例えば、３Ｇ（３ｒｄ  Ｇｅｎｅｒａｔｉｏｎ）網との通信に用いる３Ｇアンテナでインターネットへ接続する通信方式と、Ｗｉｆｉ（Ｗｉｒｅｌｅｓｓ  ｆｉｄｅｌｉｔｙ）通信に用いるＷｉｆｉアンテナでインターネットへ接続する通信方式がある。両通信方式を比較すると、Ｗｉｆｉアンテナによりインターネットへ接続する通信方式の方が消費電力は少ない（例えば、下記特許文献１〜３参照）。
【０００４】
そのため、携帯端末がインターネットへ接続する際に、可能な限りＷｉｆｉアンテナによりインターネットへ接続するようにすれば、自端末の消費電力を削減することができる。
【０００５】
従来、このような消費電力削減の技術として、移動体（例えば、車両、鉄道、船）内に、携帯端末のＷｉｆｉアンテナと通信可能なＷｉｆｉアンテナ（いわゆるアクセスポイント）を用意しておく技術がある（例えば、下記特許文献４参照）。
【先行技術文献】
【特許文献】
【０００６】
【特許文献１】特表２００８−５２９４４３号公報
【特許文献２】特開２００６−１２９０１９号公報
【特許文献３】特開２００６−１９７５３６号公報
【特許文献４】特開２００８−１５３７７３号公報
【発明の概要】
【発明が解決しようとする課題】
【０００７】
しかしながら、上述した従来技術では、３Ｇアンテナによる通話については可能なままであるため、携帯端末は、３Ｇ網との通話品質を守るためにハンドオーバを行うが、携帯端末がハンドオーバのために電力を消費してしまう。一方で、消費電力削減のために携帯端末のハンドオーバを不能に設定すると、携帯端末による通話ができなくなる可能性が高まる。
【０００８】
１つの側面では、本発明は、携帯端末による通話の継続性に配慮した通信システム、通信プログラム、通信装置、携帯端末、および通信方法を提供することを目的とする。
【課題を解決するための手段】
【０００９】
１つの案では、携帯端末と通信装置が移動体内で通信を行う通信システムであって、携帯端末は、移動体通信網内のいずれかの基地局と通信を行う第１の通信手段と、通信装置と通信を行う第２の通信手段と、を備え、第２の通信手段による通信装置との接続が確立しているか否か判断し、第２の通信手段による接続が確立していると判断された場合、第１の通信手段への電力供給を停止する。通信装置は、移動体通信網内のいずれかの基地局と通信を行う第３の通信手段と、携帯端末と通信を行うとともに、第３の通信手段とのデータの送受信を行う第４の通信手段と、移動体通信網内のいずれかの基地局と通信を行う携帯端末の通信機能を実現する代替通信手段を制御する制御手段と、を備える。制御手段によって制御された代替通信手段は、第３の通信手段に、通信装置の通信圏内にあるいずれかの基地局を検出させ、検出されたいずれかの基地局からデータを受信させ、受信されたデータを第４の通信手段に転送させる。制御手段によって制御された代替通信手段は、携帯端末から第４の通信手段に受信されたデータが第３の通信手段に転送された場合、第３の通信手段に、通信装置の通信圏内にあるいずれかの基地局を検出させ、転送されてきたデータを、検出されたいずれかの基地局へ送信させる通信システムが提案される。
【００１０】
また、他の案では、移動体通信網内のいずれかの基地局と通信を行う第１の通信手段と、移動体内で携帯端末と通信を行うとともに、第１の通信手段とのデータの送受信を行う第２の通信手段と、を備え、移動体通信網内のいずれかの基地局と通信を行う携帯端末の通信機能を実現する代替通信手段を制御する。制御された代替通信手段が、第１の通信手段に、通信装置の通信圏内にあるいずれかの基地局を検出させ、検出されたいずれかの基地局からデータを受信させ、受信されたデータを第２の通信手段に転送させる通信プログラム、通信装置、および通信方法が提案される。
【００１１】
また、他の案では、移動体通信網内のいずれかの基地局と通信を行う第１の通信手段と、移動体内で携帯端末と通信を行うとともに、第１の通信手段とのデータの送受信を行う第２の通信手段と、を備え、移動体通信網内のいずれかの基地局と通信を行う携帯端末の通信機能を実現する代替通信手段を制御する。制御された代替通信手段が、携帯端末から第２の通信手段に受信されたデータが第１の通信手段に転送された場合、第１の通信手段に、通信装置の通信圏内にあるいずれかの基地局を検出させ、転送されてきたデータを、検出されたいずれかの基地局へ送信させる通信プログラム、通信装置、および通信方法が提案される。
【００１２】
また、他の案では、移動体通信網内のいずれかの基地局と通信を行う第１の通信手段と、移動体内で通信装置と通信を行う第２の通信手段と、を備え、第２の通信手段による通信装置との接続が確立しているか否か判断し、第２の通信手段による接続が確立していると判断された場合、第１の通信手段を通信可能な状態から通信不能な状態に切り替える通信プログラム、携帯端末、および通信方法が提案される。
【発明の効果】
【００１３】
本発明にかかる通信システム、通信プログラム、通信装置、携帯端末、および通信方法によれば、携帯端末による通話の継続性に配慮することができるという効果を奏する。
【図面の簡単な説明】
【００１４】
【図１】図１は、本実施の形態にかかる携帯端末の通信確立例を示す説明図である。
【図２】図２は、本実施の形態にかかる通信システムの一例を示す説明図である。
【図３】図３は、図２に示した通信装置１００のハードウェア構成例を示すブロック図である。
【図４】図４は、図２に示した携帯端末２００のハードウェア構成例を示すブロック図である。
【図５】図５は、通信装置１００の記憶装置１０２に記憶されているエントリテーブル１０２ａの記憶内容を示す説明図である。
【図６】図６は、通信装置１００の記憶装置１０２に記憶されているデータベース１０２ｂの記憶内容を示す説明図である。
【図７】図７は、通信装置１００と携帯端末２００とのＷｉｆｉ通信の接続の詳細を示すシーケンス図である。
【図８】図８は、携帯端末２００によるインターネット通信の詳細を示すシーケンス図である。
【図９】図９は、通信装置１００とＷｉｆｉ通信の接続中の携帯端末２００への移動体３００外の携帯端末４２０からの電話発信の詳細を示すシーケンス図である。
【図１０】図１０は、携帯端末４２０との通話を開始した携帯端末２００による通話の詳細を示すシーケンス図である。
【図１１】図１１は、通信装置１００とＷｉｆｉ通信の接続中の携帯端末２００による移動体３００外の携帯端末４２０への電話発信の詳細を示すシーケンス図である。
【図１２】図１２は、通信装置１００と携帯端末２００とのＷｉｆｉ通信の接続切断の詳細を示すシーケンス図（その１）である。
【図１３】図１３は、通信装置１００と携帯端末２００とのＷｉｆｉ通信の接続切断の詳細を示すシーケンス図（その２）である。
【図１４】図１４は、通話品質を向上させる場合の携帯端末２００への移動体３００外の携帯端末４２０からの電話発信の具体例を示す説明図である。
【図１５】図１５は、図１４において示した通話品質を向上させる場合の携帯端末２００への移動体３００外の携帯端末４２０からの電話発信の詳細を示すシーケンス図である。
【図１６】図１６は、通話品質を向上させる場合の携帯端末２００による移動体３００外の携帯端末４２０への電話発信の具体例を示す説明図である。
【図１７】図１７は、図１６において示した通話品質を向上させる場合の携帯端末２００による移動体３００外の携帯端末４２０への電話発信の詳細を示すシーケンス図である。
【図１８】図１８は、通信装置１００の機能的構成例を示す機能ブロック図である。
【図１９】図１９は、携帯端末２００の機能的構成例を示す機能ブロック図である。
【発明を実施するための形態】
【００１５】
以下に添付図面を参照して、本発明の実施の形態にかかる通信システム、通信プログラム、通信装置、携帯端末、および通信方法を詳細に説明する。本実施の形態では、移動体（例えば、車両、鉄道、船、飛行機）内の携帯端末が移動体により移動中であるにもかかわらず、携帯端末が直接移動体外の無線通信網（例えば、３Ｇ網）へのハンドオーバをさせない。その代わりに、移動体内の通信装置が上記無線通信網と接続し、かつ、移動体内の通信装置が携帯端末と直接移動体内の無線通信網（例えば、無線ＬＡＮ）で接続する。
【００１６】
これにより、移動体内の携帯端末が行っていた無線通信網へのハンドオーバは、移動体内の通信装置が肩代わりすることとなる。具体的には、通信装置がエミュレーションによって仮想的に携帯端末のハンドオーバを実行する。従って、携帯端末のユーザは、通常通り無線通信網を利用して通信・通話ができ、かつ、ハンドオーバがない分、携帯端末の消費電力量の低減を図ることができる。以下、図面を用いて説明する。
【００１７】
（携帯端末の通信確立例）
図１は、本実施の形態にかかる携帯端末の通信確立例を示す説明図である。図１では、携帯端末２００のユーザが、任意の出発点から乗車点まで徒歩で移動し、乗車点から降車点までＷｉｆｉ送受信機を備えた通信装置１００を有する移動体３００に乗って移動し、降車点から目的地まで徒歩で移動した場合を例に挙げる。
【００１８】
ここで、通信装置１００は、移動体３００に設けられた車載機器である。移動体３００には、車両（自動車、オートバイ、自転車、バス、タクシー、電車）や船舶、飛行機が挙げられる。通信装置１００は、移動体３００外の無線通信網（以下、「外部無線通信網」）と接続し、移動体３００内の携帯端末２００と、移動体３００内の無線通信網（以下、「内部無線通信網」）により接続する。
【００１９】
外部無線通信網とは、例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）やＣＤＭＡ２０００、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの３Ｇ通信方式やそれ以降の次世代通信方式を含む移動体通信網である。外部無線通信網により、携帯端末２００は、通話とデータ通信の双方が可能となる。本実施の形態では、外部無線通信網として３Ｇ網４００を例に挙げて説明する。
【００２０】
一方、内部無線通信網とは、例えば、移動体３００内に設けられた無線ＬＡＮスポットである。内部無線通信網は、具体的には、例えば、外部無線通信網よりも消費電力量が少なくてすむネットワークである。その代わりに、外部無線通信網の基地局は、内部無線通信網の基地局よりも多く設置されている。本実施の形態では、Ｗｉｆｉを例に挙げて説明する。
【００２１】
図１において、携帯端末２００は、出発点から乗車点までの移動中は、携帯端末２００の３Ｇ送受信機により３Ｇ網４００と接続中であり、携帯端末２００のＷｉｆｉ送受信機は通信不能に設定されている（例えば、Ｗｉｆｉ送受信機の電源がオフにされている）。従来では、出発点から乗車点までの間は携帯端末２００のＷｉｆｉ送受信機によるスキャンに電力を消費していたが、上述したように、携帯端末２００は携帯端末２００のＷｉｆｉ送受信機によるスキャンを行わないため、消費電力が削減される。
【００２２】
次に、携帯端末２００は、乗車点において、移動体３００の通信装置１００に対して、ＲＦＩＤ（Ｒａｄｉｏ  Ｆｒｅｑｕｅｎｃｙ  ＩＤｅｎｔｉｆｉｃａｔｉｏｎ）送受信機によってＷｉｆｉ通信に必要な情報を送信し、通信装置１００と携帯端末２００とのＷｉｆｉ通信の関連付けを行う。そして、携帯端末２００は、通信装置１００から携帯端末２００の認証を受けて、Ｗｉｆｉ通信を確立して、アイドル接続の状態となる。
【００２３】
乗車点から降車点までは、携帯端末２００は、Ｗｉｆｉ送受信機によりインターネット接続を行い、３Ｇ送受信機を通信不能な状態（インターネット接続および通話を不能な状態）に設定する（例えば、３Ｇ送受信機の電源をオフにする）。この間のハンドオーバは、通信装置１００が携帯端末２００の代わりに行っている。
【００２４】
これにより、携帯端末２００は、ハンドオーバを繰り返す必要はなく、消費電力が削減される。また、携帯端末２００は、通話の際には、通信装置１００を中継して通話することができる。そして、携帯端末２００は、降車の際には、通信装置１００に基地局情報を問い合わせて、３Ｇ送受信機を通信可能な状態に設定し直すことができる。また、携帯端末２００は、通話の際に、通信装置１００に基地局情報を問い合わせて、３Ｇ送受信機を通信可能な状態に設定して、品質のよい通話をすることもできる。
【００２５】
そして、携帯端末２００は、降車点において、通信装置１００のＷｉｆｉ送受信機との接続を解除し、降車点から目的地までは携帯端末２００のＷｉｆｉ送受信機によるスキャンは行わず３Ｇ送受信機により、基地局４１０と接続し、アイドル接続の状態となって、３Ｇ網４００との通信を行う。
【００２６】
従来では、降車点から目的地までの間は携帯端末２００のＷｉｆｉ送受信機によるスキャンに電力を消費していたが、上述したように、携帯端末２００は携帯端末２００のＷｉｆｉ送受信機によるスキャンを行わないため、消費電力が削減される。
【００２７】
このように、本実施の形態にかかる携帯端末２００は、携帯端末２００のＷｉｆｉ送受信機によるスキャンに使用する電力を削減でき、ハンドオーバに使用する電力を削減することもできる。
【００２８】
（本実施の形態にかかる通信システムの一例）
次に、図１に示した乗車点から降車点の間において構成される携帯端末２００と、移動体３００が有する通信装置１００と、を含む通信システムの一例について、図２を用いて説明する。
【００２９】
図２は、本実施の形態にかかる通信システムの一例を示す説明図である。図２において、通信システムＳは、移動体３００内の携帯端末２００と移動体３００内の通信装置１００とを含むシステムである。
【００３０】
通信装置１００は、３Ｇアンテナを用いて３Ｇ網４００との通信を行う３Ｇ送受信機１１０と、Ｗｉｆｉアンテナを用いてＷｉｆｉ通信を行うＷｉｆｉ送受信機１２０と、ＲＦＩＤアンテナを用いて通信を行うＲＦＩＤ送受信機（不図示）と、を有する。また、通信装置１００の記憶装置には、携帯端末２００のＯＳ（Ｏｐｅｒａｔｉｎｇ  Ｓｙｓｔｅｍ）を含むＯＳ群が予め保持されている。
【００３１】
また、移動体３００内には、携帯端末２００が存在する。携帯端末２００は、例えば、移動体３００の搭乗者の移動体通信端末であり、通話とデータ通信が可能である。携帯端末２００は、３Ｇアンテナを用いて３Ｇ網４００との通信を行う３Ｇ送受信機２１０と、Ｗｉｆｉアンテナを用いてＷｉｆｉ通信を行うＷｉｆｉ送受信機（不図示）と、ＲＦＩＤアンテナを用いて通信を行うＲＦＩＤ送受信機（不図示）と、を有する。ここでは、移動体３００内に、ＯＳ１によって動作する携帯端末２００が２つ存在し、ＯＳ２によって動作する携帯端末２００が１つ存在しているものとする。
【００３２】
通信装置１００は、携帯端末２００の代わりとなる仮想端末（エミュレータ）１３０を通信装置１００内に生成する。そして、仮想端末１３０は、携帯端末２００の代わりに、３Ｇ網４００へのハンドオーバを行う。これにより、携帯端末２００は、自らハンドオーバを行う必要がないため、ハンドオーバによって電力を消費することがなくなり、消費電力を削減できるようになる。
【００３３】
具体的には、図１において、まず、携帯端末２００と通信装置１００とのＷｉｆｉ通信が確立される。携帯端末２００は、携帯端末２００のＷｉｆｉ送受信機によって、通信装置１００のＷｉｆｉ送受信機１２０からの電波を検出（スキャン）し、検出した際には、Ｗｉｆｉ通信に必要な情報を通信装置１００に送信して、通信装置１００とのＷｉｆｉ通信を確立する。
【００３４】
なお、Ｗｉｆｉ通信を確立させるために、携帯端末２００は、携帯端末２００のＷｉｆｉ送受信機による送信を行わず、携帯端末２００のＲＦＩＤ送受信機を用いてＷｉｆｉ通信に必要な情報を送信するようにすれば、携帯端末２００のＷｉｆｉ送受信機のスキャンに使用する電力を削減することもできる。
【００３５】
通信装置１００は、携帯端末２００とのＷｉｆｉ通信が確立すると、携帯端末２００から機種情報を受信し、機種情報に基づいて携帯端末２００の代わりとなる仮想端末１３０を通信装置１００内に生成する。機種情報とは、例えば、携帯端末２００の製造者名や機種名を特定するコードであり、機種情報から携帯端末２００のＯＳを一意に特定することができる。
【００３６】
ここでは、移動体３００内に、ＯＳ１によって動作する携帯端末２００が２台存在し、ＯＳ２によって動作する携帯端末２００が１台存在している。そのため、通信装置１００は、ＯＳ１からなる仮想端末１３０を２台用意し、ＯＳ２からなる仮想端末１３０を１台用意している。
【００３７】
そして、仮想端末１３０は、携帯端末２００の代わりに、３Ｇ網４００へのハンドオーバを行う。具体的には、仮想端末１３０は、移動体３００の現在地において最も電波強度の強い基地局４１０を所定時間ごとに検出する。仮想端末１３０は、検出した基地局４１０と通信を行う。
【００３８】
また、（Ａ）のように移動体３００が複数の基地局４１０のエリアをまたいで移動する際には、通信装置１００は、ハンドオーバにより、現在通信中の基地局４１０から別の基地局４１０へと通信先を変更する。
【００３９】
また、携帯端末２００がインターネット（以下、「ＩＰ網」という）５００と接続する際には、通信装置１００の仮想端末１３０が、３Ｇ網４００を経由してＩＰ網５００のサーバ５１０との通信を行う。通信装置１００は、Ｗｉｆｉ通信によって携帯端末２００との通信を行う。これにより、通信装置１００が、ＩＰ網５００のサーバ５１０と携帯端末２００との通信を中継することにより、携帯端末２００はインターネット通信が可能となる。
【００４０】
さらに、移動体３００外の携帯端末４２０が携帯端末２００に電話をかける場合には、携帯端末２００への電話着信通知は、通信装置１００内の仮想端末１３０によって中継され、Ｗｉｆｉ送受信機１２０から携帯端末２００へ送信される。これにより、携帯端末２００の３Ｇ送受信機２１０を通信不能な状態に設定しても、携帯端末２００は電話着信通知を受けられる。
【００４１】
また、携帯端末２００が電話をかける場合には、通信装置１００へ基地局情報を要求して、通信装置１００から返信された基地局情報を用いて自ら基地局４１０へ電話発信依頼を送信することができる。基地局情報とは、基地局４１０から受信した電波の周波数と信号強度である。また、基地局情報には、基地局４１０から受信したエリア情報を含めてもよい。
【００４２】
このように、携帯端末２００は、インターネット通信および電話が可能である。また、通信装置１００の仮想端末１３０が、ハンドオーバを行い、通話品質を守っておくため、携帯端末２００は、３Ｇ網４００へのハンドオーバを行わず、必要時にのみ通信装置１００から基地局情報を受信すればよい。従って、携帯端末２００は、ハンドオーバに使用する電力を削減することができる。
【００４３】
（通信装置１００のハードウェア構成例）
図３は、図２に示した通信装置１００のハードウェア構成例を示すブロック図である。図３において、通信装置１００は、ＣＰＵ（Ｃｅｎｔｒａｌ  Ｐｒｏｃｅｓｓｉｎｇ  Ｕｎｉｔ）１０１と、記憶装置１０２と、Ｉ／Ｏインターフェース１０３と、３Ｇ送受信機１１０と、Ｗｉｆｉ送受信機１２０と、ＲＦＩＤ送受信機１４０と、を備えている。
【００４４】
ＣＰＵ１０１は、通信装置１００全体の制御を司る。記憶装置１０２は、通信プログラムを記憶している。また、記憶装置１０２は、エントリテーブル１０２ａと、携帯端末２００の３Ｇ網４００との通信を実現する複数種類のＯＳを保持するデータベース１０２ｂと、を記憶している。記憶装置１０２としては、不揮発性メモリやフラッシュメモリ、ハードディスクドライブなどを採用することができる。
【００４５】
Ｉ／Ｏインターフェース１０３は、直接外部装置に接続され、外部装置からのデータの入出力を制御する。Ｉ／Ｏインターフェース１０３には、例えばシリアルポートやＵＳＢポートなどを採用することができる。３Ｇ送受信機１１０は、３Ｇアンテナを用いて、３Ｇ網４００の基地局４１０と接続を行い、データの送受信を行う。Ｗｉｆｉ送受信機１２０は、Ｗｉｆｉアンテナを用いて、携帯端末２００のＷｉｆｉ送受信機と接続を行い、データの送受信を行う。ＲＦＩＤ送受信機１４０は、ＲＦＩＤアンテナを用いて、携帯端末２００のＲＦＩＤ送受信機と接続を行い、データの送受信を行う。
【００４６】
（携帯端末２００のハードウェア構成例）
図４は、図２に示した携帯端末２００のハードウェア構成例を示すブロック図である。図４において、携帯端末２００は、ＣＰＵ２０１と、記憶装置２０２と、Ｉ／Ｏインターフェース２０３と、ユーザインターフェース２０４と、ＳＩＭカード２０５と、３Ｇ送受信機２１０と、Ｗｉｆｉ送受信機２２０と、ＲＦＩＤ送受信機２４０と、を備えている。
【００４７】
ＣＰＵ２０１は、携帯端末２００全体の制御を司る。記憶装置２０２は、通信プログラムを記憶している。Ｉ／Ｏインターフェース２０３は、直接外部装置に接続され、外部装置からのデータの入出力を制御する。Ｉ／Ｏインターフェース２０３には、例えばシリアルポートやＵＳＢポートなどを採用することができる。
【００４８】
ユーザインターフェース２０４は、ユーザからのデータの入出力を制御する。ユーザインターフェース２０４には、ディスプレイやキーボードやマイクやスピーカを採用することができる。ＳＩＭカード２０５は、携帯端末２００固有のＳＩＭ（Ｓｕｂｓｃｒｉｂｅｒ  Ｉｄｅｎｔｉｔｙ  Ｍｏｄｕｌｅ）番号を記憶している。ＳＩＭ番号とは、電話番号を特定するための固有のＩＤ番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ）である。
【００４９】
３Ｇ送受信機２１０は、３Ｇアンテナを用いて３Ｇ網４００の基地局４１０と接続を行い、データの送受信を行う。Ｗｉｆｉ送受信機２２０は、Ｗｉｆｉアンテナを用いて通信装置１００のＷｉｆｉ送受信機１２０と接続を行い、データの送受信を行う。ＲＦＩＤ送受信機２４０は、ＲＦＩＤアンテナを用いて通信装置１００のＲＦＩＤ送受信機１４０と接続を行い、データの送受信を行う。
【００５０】
（エントリテーブル１０２ａの記憶内容）
図５は、通信装置１００の記憶装置１０２に記憶されているエントリテーブル１０２ａの記憶内容を示す説明図である。図５に示すように、エントリテーブル１０２ａは、エントリ項目のそれぞれに対応付けて、ＳＩＭ番号項目と、ＭＡＣアドレス項目と、ＩＰアドレス項目と、機種情報項目と、を有する。そして、エントリテーブル１０２ａは、携帯端末２００と通信装置１００とが接続され、通信装置１００内で仮想端末１３０が生成されるごとにレコードを構成する。
【００５１】
エントリ項目には、携帯端末２００が通信装置１００と接続され、仮想端末１３０が生成された順番（エントリ）が記憶される。すなわち、エントリは、仮想端末１３０に一意に割り振られた番号である。ＳＩＭ番号項目には、携帯端末２００のＳＩＭ番号が記憶される。
【００５２】
ＭＡＣ（Ｍｅｄｉａ  Ａｃｃｅｓｓ  Ｃｏｎｔｒｏｌ）アドレス項目には、携帯端末２００の固有のＭＡＣアドレスが記憶される。ＭＡＣアドレスとは、データの送信元または宛先を識別するアドレスであり、イーサネット（登録商標）の場合、４８ビット（ＥＵＩ−４８）の符号である。ＩＰアドレス項目には、通信装置１００が携帯端末２００に割り振ったＩＰアドレスが記憶される。
【００５３】
機種情報項目には、携帯端末２００から通信装置１００に送信された携帯端末２００の機種を識別する情報が記憶される。
【００５４】
（データベース１０２ｂの記憶内容）
図６は、通信装置１００の記憶装置１０２に記憶されているデータベース１０２ｂの記憶内容を示す説明図である。図６に示すように、データベース１０２ｂは、機種情報項目のそれぞれに対応付けて、対応ＯＳ項目と、対応アプリケーション項目を有し、機種情報ごとにレコードを構成する。
【００５５】
機種情報項目には、携帯端末２００の機種情報が記憶される。対応ＯＳ項目には、各機種情報によって識別される携帯端末２００を構成するＯＳと同一のＯＳが記憶されている。対応アプリケーション項目には、各機種情報によって識別される携帯端末２００を構成するアプリケーションと同一のアプリケーションが記憶される。
【００５６】
（通信装置１００と携帯端末２００とのＷｉｆｉ通信の接続）
ここで、図７〜図１３を用いて、通信装置１００と携帯端末２００とのＷｉｆｉ通信の接続から、切断までの一連の処理について説明する。具体的には、まず、図７を用いて、図１にて示した乗車点における通信装置１００と携帯端末２００とのＷｉｆｉ通信の接続について説明する。すなわち、図７では、図１にて示した通信装置１００と携帯端末２００とのＷｉｆｉ通信の関連付け、通信装置１００による携帯端末２００の認証、および通信装置１００と携帯端末２００間のＷｉｆｉ通信の確立について説明する。
【００５７】
図７は、通信装置１００と携帯端末２００とのＷｉｆｉ通信の接続の詳細を示すシーケンス図である。図７では、携帯端末２００が移動体３００内にあり、Ｗｉｆｉ通信の接続依頼を行った場合を例に挙げる。
【００５８】
ここで、携帯端末２００のＲＦＩＤ送受信機２４０の通信圏内に、通信装置１００のＲＦＩＤ送受信機１４０が存在する状態になり、互いのＲＦＩＤ送受信機１４０，２４０により通信可能な状態に移行したとする。例えば、携帯端末２００のユーザが、携帯端末２００のＲＦＩＤ送受信機２４０を、通信装置１００のＲＦＩＤ送受信機１４０に近づけることにより、通信可能な状態に移行する。
【００５９】
携帯端末２００のＲＦＩＤ送受信機２４０は、通信装置１００のＲＦＩＤ送受信機１４０との通信可能な状態になると、通信装置１００のＲＦＩＤ送受信機１４０に接続依頼を送信する（ステップＳ７０１）。ここで、接続依頼は、携帯端末２００のＭＡＣアドレスとＳＩＭと機種情報とから構成される。
【００６０】
通信装置１００のＲＦＩＤ送受信機１４０は、受信した接続依頼を携帯端末２００の携帯端末情報として、通信装置１００のＣＰＵ１０１に転送する（ステップＳ７０２）。次に、通信装置１００のＣＰＵ１０１は、受信した携帯端末情報のうちのＭＡＣアドレスをＷｉｆｉ送受信機１２０に転送する（ステップＳ７０３）。ＭＡＣアドレスを受信したＷｉｆｉ送受信機１２０は、ＭＡＣアドレスに対応するＩＰアドレスを割り振る（ステップＳ７０４）。これにより、通信装置１００は、通信装置１００と携帯端末２００とのＷｉｆｉ通信の関連付けを行う。
【００６１】
そして、通信装置１００のＣＰＵ１０１は、携帯端末情報のうちＳＩＭと機種情報とを３Ｇ送受信機１１０に転送する（ステップＳ７０５）。通信装置１００の３Ｇ送受信機１１０は、基地局４１０を介して認証機関（例えば、携帯端末２００の通信事業者）にＳＩＭと機種情報との正当性を問い合わせて、携帯端末２００を認証する。
【００６２】
また、通信装置１００のＷｉｆｉ送受信機１２０は、割り振られたＩＰアドレスと、ＳＩＭと、ＭＡＣアドレスとからなるレコードの保存依頼を、通信装置１００のＣＰＵ１０１に送信する（ステップＳ７０６）。携帯端末２００が認証されなかった場合は、通信装置１００のＣＰＵ１０１は、受信したレコードの保存依頼を廃棄して、携帯端末２００とのＷｉｆｉ通信の接続は行わない。
【００６３】
携帯端末２００が認証された場合、通信装置１００のＣＰＵ１０１は、保存依頼を受信すると、保存依頼に含まれるＳＩＭとＭＡＣアドレスとＩＰアドレスとをレコードとしてエントリテーブル１０２ａに保存する（ステップＳ７０７）。また、通信装置１００のＣＰＵ１０１は、保存依頼に含まれるＩＰアドレスを接続情報としてＲＦＩＤ送受信機１４０に転送する（ステップＳ７０８）。そして、通信装置１００のＣＰＵ１０１は、機種情報から携帯端末２００のＯＳを特定し、特定したＯＳに対応する仮想端末１３０を生成し、携帯端末２００のエミュレーションを開始する（ステップＳ７０９）。
【００６４】
そして、通信装置１００のＲＦＩＤ送受信機１４０は、受信した接続情報を、携帯端末２００のＲＦＩＤ送受信機２４０に送信する（ステップＳ７１０）。接続情報は、ＳＳＩＤ（Ｓｅｒｖｉｃｅ  Ｓｅｔ  ＩＤｅｎｔｉｆｉｅｒ）と、チャンネルと、ＩＰアドレスから構成される。
【００６５】
これにより、携帯端末２００は、Ｗｉｆｉ送受信機２２０による通信装置１００のＷｉｆｉ送受信機１２０のスキャンを行わずに、Ｗｉｆｉ通信を確立するための接続情報を受信することができる。そのため、携帯端末２００は、従来、Ｗｉｆｉ送受信機２２０による通信装置１００のＷｉｆｉ送受信機１２０のスキャンに使用していた消費電力を削減することができる。
【００６６】
このあと、携帯端末２００のＲＦＩＤ送受信機２４０は、受信した接続情報を、携帯端末２００のＣＰＵ２０１に転送する（ステップＳ７１１）。そして、携帯端末２００のＣＰＵ２０１は、接続情報を受信すると３Ｇ送受信機２１０に接続中止依頼を送信する（ステップＳ７１２）。接続中止依頼は、３Ｇ送受信機２１０を通信不能に設定する依頼である。
【００６７】
また、携帯端末２００のＣＰＵ２０１は、Ｗｉｆｉ送受信機２２０に接続情報を転送する（ステップＳ７１３）。そして、携帯端末２００のＷｉｆｉ送受信機２２０は、接続情報に基づいて、通信装置１００とＷｉｆｉ通信を接続して、通信装置１００を介してインターネット通信を行う（ステップＳ７１４）。
【００６８】
このように、通信装置１００と携帯端末２００とは、通信装置１００と携帯端末２００間のＷｉｆｉ通信を確立する。そのため、携帯端末２００は、通信装置１００を介して、インターネット通信を行うことができるようになる。
【００６９】
これにより、携帯端末２００は、通信装置１００に仮想端末１３０を生成させて、従来携帯端末２００が３Ｇ網４００との通話品質を守るために行っていたハンドオーバを、通信装置１００に肩代わりさせる。そのため、携帯端末２００は、ハンドオーバを行わなくてよくなり、３Ｇ送受信機２１０を通信不能に設定して、消費電力量の低減を図ることができる。
【００７０】
さらに、携帯端末２００のユーザは、確立させたＷｉｆｉ通信により、通信装置１００を中継して、３Ｇ網４００と通信することができるため、３Ｇ送受信機２１０を通信不能に設定しても、インターネット通信および通話を行うことができる。以下において、図８を用いて、通信装置１００を中継したインターネット通信の詳細について説明し、図９〜図１１を用いて、通信装置１００を中継した通話の詳細について説明する。
【００７１】
（携帯端末２００によるインターネット通信）
まず、図８を用いて、図７にてステップＳ７１４に示した通信装置１００とのＷｉｆｉ通信を確立した携帯端末２００による通信装置１００を介したインターネット通信の詳細について説明する。すなわち、図１にて示した乗車点から降車点までの間におけるインターネット通信の詳細について説明する。
【００７２】
図８は、携帯端末２００によるインターネット通信の詳細を示すシーケンス図である。図８では、通信装置１００が、３Ｇ送受信機１１０により、基地局４１０からサーバ５１０を送信元とするコンテンツを受信した場合を例に挙げ、通信装置１００による携帯端末２００へのコンテンツの転送について説明する。また、図８では、携帯端末２００による通信装置１００を介したサーバ５１０を宛先とするコンテンツの基地局４１０への送信について説明する。
【００７３】
すなわち、図８では、携帯端末２００のＷｉｆｉ送受信機２２０と通信装置１００のＷｉｆｉ送受信機１２０と３Ｇ送受信機１１０と基地局４１０と３Ｇ網４００とＩＰ網５００とを経由する携帯端末２００とサーバ５１０とのインターネット通信について説明する。
【００７４】
図８に示すように、サーバ５１０を送信元とするコンテンツを基地局４１０から受信した３Ｇ送受信機１１０は、通信装置１００のＣＰＵ１０１にコンテンツを転送する（ステップＳ８０１）。次に、通信装置１００のＣＰＵ１０１は、転送されたコンテンツをルーティングする（ステップＳ８０２）。ルーティングとは、エントリテーブル１０２ａを参照して、受信したコンテンツの宛先ＩＰアドレスとして、携帯端末２００に割り振られたＩＰアドレスを付与することをいう。
【００７５】
そして、通信装置１００のＣＰＵ１０１は、Ｗｉｆｉ送受信機１２０にルーティングしたコンテンツを転送する（ステップＳ８０３）。コンテンツを受信したＷｉｆｉ送受信機１２０は、端末装置２００のＷｉｆｉ送受信機２２０へコンテンツを送信する（ステップＳ８０４）。このようにして、通信装置１００は、サーバ５１０を送信元とするコンテンツを中継して、携帯端末２００へ送信する。
【００７６】
そして、携帯端末２００のＷｉｆｉ送受信機２２０は、受信したコンテンツを携帯端末２００のＣＰＵ２０１へ転送する（ステップＳ８０５）。次に、携帯端末２００のＣＰＵ２０１は、転送されたコンテンツに基づき、ユーザインターフェース２０４の内容を更新する（ステップＳ８０６）。ここで、携帯端末２００のユーザは、更新されたユーザインターフェース２０４の内容に基づいて、サーバ５１０を宛先とするコンテンツを送信するように携帯端末２００を操作したとする。
【００７７】
そして、携帯端末２００のＣＰＵ２０１は、ユーザからの操作を受けて、コンテンツをＷｉｆｉ送受信機２２０に送信する（ステップＳ８０７）。コンテンツを受信したＷｉｆｉ送受信機２２０は、受信したコンテンツを通信装置１００のＷｉｆｉ送受信機１２０へ送信する（ステップＳ８０８）。このようにして、携帯端末２００は、通信装置１００へサーバ５１０を宛先とするコンテンツを送信する。
【００７８】
そして、通信装置１００のＷｉｆｉ送受信機１２０は、通信装置１００のＣＰＵ１０１へコンテンツを転送する（ステップＳ８０９）。コンテンツを転送された通信装置１００のＣＰＵ１０１は、３Ｇ送受信機１１０にコンテンツを転送する（ステップＳ８１０）。そして、３Ｇ送受信機１１０は、コンテンツを基地局４１０に送信する。これにより、基地局４１０に送信されたコンテンツはサーバ５１０へと送信される。
【００７９】
このように、通信装置１００と携帯端末２００とが互いのＷｉｆｉ送受信機１２０，２２０を経由して接続されている。また、通信装置１００は、３Ｇ送受信機１１０により基地局４１０を介して、サーバ５１０と通信できる。そのため、通信装置１００は、携帯端末２００とサーバ５１０とのインターネット通信を中継することができる。これにより、携帯端末２００は、３Ｇ送受信機２１０を通信不能に設定してもインターネット通信を行うことができる。また、携帯端末２００は、３Ｇ送受信機２１０を通信不能に設定して、３Ｇ網４００へのハンドオーバを行わないようにして消費電力を削減できる。
【００８０】
（通信装置１００とＷｉｆｉ通信の接続中の携帯端末２００への移動体３００外の携帯端末４２０からの電話発信）
次に、図９〜図１１を用いて、通信装置１００とＷｉｆｉ通信の接続中の携帯端末２００による通話について説明する。すなわち、図１にて示した乗車点から降車点までの間における通話の詳細について説明する。具体的には、携帯端末２００と移動体３００外の携帯端末４２０との電話着信通知または電話発信依頼の送受信または通話内容の送受信を、通信装置１００に中継させる。
【００８１】
ここで、通信装置１００と携帯端末２００との間における通話内容は、例えば、ＶｏＩＰ（Ｖｏｉｃｅ  ｏｖｅｒ  Ｉｎｔｅｒｎｅｔ  Ｐｒｏｔｏｃｏｌ）技術により送受信される。具体的には、通話内容の音声データをパケットに変換した上で、通信装置１００と携帯端末２００とがパケット送受信を行うことで、通話内容が送受信される。これにより、電話着信通知、電話発信依頼、または通話内容を通信装置１００に中継させることにより、携帯端末２００は、３Ｇ送受信機２１０を通信不能に設定したまま、携帯端末４２０との通話を行うことができる。
【００８２】
すなわち、図９〜図１１では、携帯端末２００のＷｉｆｉ送受信機２２０と通信装置１００のＷｉｆｉ送受信機１２０と３Ｇ送受信機１１０と基地局４１０と３Ｇ網４００とを経由する経路により、携帯端末２００と携帯端末４２０とが通話を行う。ここで、まず、図９を用いて、通信装置１００とＷｉｆｉ通信の接続中の携帯端末２００に対して移動体３００外の携帯端末４２０からの電話発信があった場合について説明する。
【００８３】
図９は、通信装置１００とＷｉｆｉ通信の接続中の携帯端末２００への移動体３００外の携帯端末４２０からの電話発信の詳細を示すシーケンス図である。ここで、携帯端末２００の３Ｇ送受信機２１０は通信不能な状態に設定されている。そのため、移動体３００外の携帯端末４２０からの携帯端末２００への電話発信により、通信装置１００内の仮想端末１３０が、３Ｇ送受信機１１０により移動体３００外の携帯端末４２０からの電話着信通知を受信することになる。なお、電話着信通知は、電話の発信者番号からなる。
【００８４】
携帯端末４２０からの電話着信通知を受信すると、図９に示すように、通信装置１００の３Ｇ送受信機１１０は、電話着信通知を通信装置１００のＣＰＵ１０１に転送する（ステップＳ９０１）。次に、通信装置１００のＣＰＵ１０１は、転送された電話着信通知をルーティングする（ステップＳ９０２）。
【００８５】
そして、通信装置１００のＣＰＵ１０１は、Ｗｉｆｉ送受信機１２０にルーティングした電話着信通知を転送する（ステップＳ９０３）。電話着信通知を受信したＷｉｆｉ送受信機１２０は、端末装置２００のＷｉｆｉ送受信機２２０へ電話着信通知を送信する（ステップＳ９０４）。
【００８６】
そして、携帯端末２００のＷｉｆｉ送受信機２２０は、受信した電話着信通知を携帯端末２００のＣＰＵ２０１へ転送する（ステップＳ９０５）。次に、携帯端末２００のＣＰＵ２０１は、転送された電話着信通知に基づき、ユーザインターフェース２０４の内容を更新する（ステップＳ９０６）。
【００８７】
そして、携帯端末２００のＣＰＵ２０１は、ユーザからの操作を受けて、通話開始依頼をＷｉｆｉ送受信機２２０に送信する（ステップＳ９０７）。通話開始依頼を受信したＷｉｆｉ送受信機２２０は、受信した通話開始依頼を通信装置１００のＷｉｆｉ送受信機１２０へ送信する（ステップＳ９０８）。
【００８８】
そして、通信装置１００のＷｉｆｉ送受信機１２０は、通信装置１００のＣＰＵ１０１へ通話開始依頼を転送する（ステップＳ９０９）。通話開始依頼を転送された通信装置１００のＣＰＵ１０１は、３Ｇ送受信機１１０に通話開始依頼を転送する（ステップＳ９１０）。そして、携帯端末２００と携帯端末４２０とは通話を開始することができる。次に、図１０を用いて、携帯端末４２０との通話を開始した携帯端末２００による通話の詳細について説明する。
【００８９】
図１０は、携帯端末４２０との通話を開始した携帯端末２００による通話の詳細を示すシーケンス図である。図１０に示すように、携帯端末２００のＣＰＵ２０１は、Ｗｉｆｉ送受信機２２０に、通話内容を転送する（ステップＳ１００１）。次に、通話内容を受信した携帯端末２００のＷｉｆｉ送受信機２２０は、通信装置１００のＷｉｆｉ送受信機１２０に通話内容を送信する（ステップＳ１００２）。
【００９０】
そして、通話内容を受信したＷｉｆｉ送受信機１２０は、通信装置１００のＣＰＵ１０１に通話内容を転送する（ステップＳ１００３）。次に、通信装置１００のＣＰＵ１０１は、３Ｇ送受信機１１０に通話内容を転送する（ステップＳ１００４）。通話内容を受信した３Ｇ送受信機１１０は、通話内容を携帯端末４２０に送信し、また、携帯端末４２０から応答された通話内容をＣＰＵ１０１に送信する（ステップＳ１００５）。
【００９１】
次に、通信装置１００のＣＰＵ１０１は、受信した通話内容をルーティングする（ステップＳ１００６）。そして、通信装置１００のＣＰＵ１０１は、ルーティングした通話内容をＷｉｆｉ送受信機１２０に転送する（ステップＳ１００７）。次に、通信装置１００のＷｉｆｉ送受信機１２０は、通話内容を携帯端末２００のＷｉｆｉ送受信機２２０に送信する（ステップＳ１００８）。
【００９２】
そして、通話内容を受信した携帯端末２００のＷｉｆｉ送受信機２２０は、通話内容をＣＰＵ２０１に送信する（ステップＳ１００９）。通話内容を受信した携帯端末２００のＣＰＵ２０１は、通話内容をユーザインターフェース２０４を用いて発音する（ステップＳ１０１０）。そして、この処理を繰り返すことにより、携帯端末２００と携帯端末４２０とは、通話を行うことができる。
【００９３】
これにより、携帯端末２００は、３Ｇ送受信機２１０を通信不能に設定したまま、通話を行うことができるため、消費電力を削減することができる。次に、図１１を用いて、通信装置１００とＷｉｆｉ通信の接続中の携帯端末２００が、移動体３００外の携帯端末４２０へ電話発信した場合について説明する。
【００９４】
（通信装置１００とＷｉｆｉ通信の接続中の携帯端末２００による移動体３００外の携帯端末４２０への電話発信）
図１１は、通信装置１００とＷｉｆｉ通信の接続中の携帯端末２００による移動体３００外の携帯端末４２０への電話発信の詳細を示すシーケンス図である。ここで、携帯端末２００の３Ｇ送受信機２１０は通信不能な状態に設定されている。そのため、携帯端末２００は、３Ｇ送受信機２１０により基地局４１０を介して携帯端末４２０に直接電話発信せずに、通信装置１００を介して電話発信することになる。ここでは、携帯端末２００のユーザが、移動体３００外の携帯端末４２０へ電話をかける操作を行った場合を例に挙げる。
【００９５】
図１１に示すように、携帯端末２００のＣＰＵ２０１は、Ｗｉｆｉ送受信機２２０に、電話発信依頼を転送する（ステップＳ１１０１）。次に、電話発信依頼を受信した携帯端末２００のＷｉｆｉ送受信機２２０は、通信装置１００のＷｉｆｉ送受信機１２０に電話発信依頼を送信する（ステップＳ１１０２）。
【００９６】
そして、電話発信依頼を受信したＷｉｆｉ送受信機１２０は、通信装置１００のＣＰＵ１０１に電話発信依頼を転送する（ステップＳ１１０３）。次に、通信装置１００のＣＰＵ１０１は、３Ｇ送受信機１１０に電話発信依頼を転送する（ステップＳ１１０４）。電話発信依頼を受信した３Ｇ送受信機１１０は、通話開始通知をＣＰＵ１０１に送信する（ステップＳ１１０５）。
【００９７】
次に、通信装置１００のＣＰＵ１０１は、受信した通話開始通知をルーティングする（ステップＳ１１０６）。そして、通信装置１００のＣＰＵ１０１は、ルーティングした通話開始通知をＷｉｆｉ送受信機１２０に転送する（ステップＳ１１０７）。次に、通信装置１００のＷｉｆｉ送受信機１２０は、通話開始通知を携帯端末２００のＷｉｆｉ送受信機２２０に送信する（ステップＳ１１０８）。
【００９８】
そして、通話開始通知を受信した携帯端末２００のＷｉｆｉ送受信機２２０は、通話開始通知をＣＰＵ２０１に送信する（ステップＳ１１０９）。そして、携帯端末２００と携帯端末４２０とは通話を開始する。具体的には、上述した図１０の処理を繰り返すことにより、携帯端末２００と携帯端末４２０とは、通話を行うことができる。
【００９９】
（通信装置１００と携帯端末２００とのＷｉｆｉ通信の接続切断）
次に、図１２および図１３を用いて通信装置１００と携帯端末２００とのＷｉｆｉ通信の接続切断について説明する。ここでは、図１にて示した降車点において、携帯端末２００のユーザが移動体３００から降りる際に、携帯端末２００が通信装置１００に接続終了依頼を送信した場合を例に挙げて、Ｗｉｆｉ通信の接続切断について説明する。
【０１００】
図１２は、通信装置１００と携帯端末２００とのＷｉｆｉ通信の接続切断の詳細を示すシーケンス図（その１）である。図１２に示すように、携帯端末２００のＲＦＩＤ送受信機２４０は、通信装置１００のＲＦＩＤ送受信機１４０に接続終了依頼を送信する（ステップＳ１２０１）。接続終了依頼は、具体的には、通信装置１００に基地局情報の送信を要求し、仮想端末１３０の削除を要求する依頼である。また、接続終了依頼には、携帯端末２００のＭＡＣアドレスとＳＩＭ番号とが含まれている。
【０１０１】
通信装置１００のＣＰＵ１０１は、ＲＦＩＤ送受信機１４０から転送された接続終了依頼を受信する（ステップＳ１２０２）。次に、通信装置１００のＣＰＵ１０１は、Ｗｉｆｉ送受信機１２０に接続終了依頼のうちＭＡＣアドレスを転送する（ステップＳ１２０３）。ＭＡＣアドレスを受信したＷｉｆｉ送受信機１２０は、受信したＭＡＣアドレスに割り振られているＩＰアドレスを解除する（ステップＳ１２０４）。そして、Ｗｉｆｉ送受信機１２０は、通信装置１００のＣＰＵ１０１に、エントリテーブル１０２ａから受信したＭＡＣアドレスに対応するレコードを削除する停止依頼を転送する（ステップＳ１２０５）。
【０１０２】
通信装置１００のＣＰＵ１０１は、停止依頼を受信すると、エントリテーブル１０２ａからＭＡＣアドレスに対応するレコードを削除する（ステップＳ１２０６）。次に、通信装置１００のＣＰＵ１０１は、３Ｇ送受信機１１０に接続終了依頼を転送する（ステップＳ１２０７）。接続終了依頼を受信した３Ｇ送受信機１１０は、最適な基地局４１０を識別する基地局情報をＣＰＵ１０１に送信する（ステップＳ１２０８）。最適な基地局４１０とは、３Ｇ網４００の複数の基地局４１０のうち、３Ｇ送受信機１１０に受信される電波強度が最も強い基地局４１０（最も通信品質がよい基地局４１０）である。
【０１０３】
そして、通信装置１００のＣＰＵ１０１は、仮想端末１３０を削除して、エミュレーションを終了する（ステップＳ１２０９）。また、通信装置１００のＣＰＵ１０１は、受信した基地局情報をＲＦＩＤ送受信機１４０に送信する（ステップＳ１２１０）。次に、通信装置１００のＲＦＩＤ送受信機１４０は、基地局情報を携帯端末２００のＲＦＩＤ送受信機２４０に送信する（ステップＳ１２１１）。そして、図１３のステップＳ１３０１へ進む。
【０１０４】
図１３は、通信装置１００と携帯端末２００とのＷｉｆｉ通信の接続切断の詳細を示すシーケンス図（その２）である。図１３に示すように、基地局情報を受信した携帯端末２００のＲＦＩＤ送受信機２４０は、基地局情報をＣＰＵ２０１に送信する（ステップＳ１３０１）。そして、携帯端末２００のＣＰＵ２０１は、３Ｇ送受信機２１０に基地局情報を転送する（ステップＳ１３０２）。
【０１０５】
次に、携帯端末２００の３Ｇ送受信機２１０は、基地局情報によって特定される最適な基地局４１０との通信を開始する（ステップＳ１３０３）。そして、携帯端末２００のＣＰＵ２０１は、Ｗｉｆｉ送受信機２２０に接続終了依頼を送信する（ステップＳ１３０４）。
【０１０６】
これにより、通信装置１００は、携帯端末２００の依頼に応じて、基地局情報を送信することができる。そのため、携帯端末２００は、３Ｇ網４００内の最適な基地局４１０へ接続することができる。また、通信装置１００は、携帯端末２００に対応する仮想端末１３０を削除して、携帯端末２００との混信を防止できる。
【０１０７】
（通話品質を向上させる場合の携帯端末２００による通話）
次に、図１４〜１７を用いて、通話品質を向上させる場合の携帯端末２００による通話について説明する。ここでは、通話品質を向上させるために、通信装置１００とのＷｉｆｉ通信の接続を切断して、携帯端末２００は自身の３Ｇ送受信機２１０により移動体３００外の携帯端末４２０との通話を行う。すなわち、携帯端末２００の３Ｇ送受信機２１０と基地局４１０と３Ｇ網４００とを経由する経路により、携帯端末２００と携帯端末４２０とは通話を行う。
【０１０８】
まず、図１４および図１５を用いて、通信装置１００とＷｉｆｉ通信の接続中の携帯端末２００に対して移動体３００外の携帯端末４２０からの電話発信があった場合の携帯端末２００の通話について説明する。
【０１０９】
（通話品質を向上させる場合の携帯端末２００への移動体３００外の携帯端末４２０からの電話発信の具体例）
図１４は、通話品質を向上させる場合の携帯端末２００への移動体３００外の携帯端末４２０からの電話発信の具体例を示す説明図である。図１４では、通信装置１００と携帯端末２００とのＷｉｆｉ通信が確立され、通信装置１００で仮想端末１３０が生成された状態である。
【０１１０】
移動体３００外の携帯端末４２０から、携帯端末２００への電話着信通知が発信された場合、まず、（１）移動体３００外の携帯端末４２０から基地局４１０へ電話着信通知が送信される。電話着信通知は、３Ｇ網４００を経由して、移動体３００の周辺の基地局４１０から送信される。この際、携帯端末２００の３Ｇ送受信機２１０は通信不能な状態に設定されているため、（２）通信装置１００内の仮想端末１３０に電話着信通知が送信されることになる。
【０１１１】
通信装置１００は、電話着信通知を受信すると、（３）携帯端末２００に基地局情報を送信し、（４）仮想端末１３０を削除する。そして、通信装置１００と携帯端末２００とのＷｉｆｉ通信の接続を切断する。これにより、携帯端末２００は自ら３Ｇ網４００へ接続して通話することが可能となり、また、仮想端末１３０との混信を防止できる。
【０１１２】
基地局情報を受信した携帯端末２００は、３Ｇ送受信機２１０を通信可能な状態に設定して、自ら３Ｇ網４００へ接続して、（５）基地局４１０から電話着信通知を受信し、通話を開始する。このように、携帯端末２００は、電話の着信を受けることができる。その後、携帯端末２００は、自ら３Ｇ網４００へ接続して通話を行う。これにより、携帯端末２００は、自身の３Ｇ送受信機２１０により、基地局４１０を介して３Ｇ網４００へ接続し、携帯端末４２０との通話品質のよい通話を行うことができる。
【０１１３】
なお、通話終了後、携帯端末２００が通信装置１００に仮想端末１３０の生成を依頼するようにし、携帯端末２００の３Ｇ送受信機２１０を通信不能な状態に再設定するようにしてもよい。これにより、再度通信装置１００が３Ｇ網４００へのハンドオーバを携帯端末２００の代わりに行うようになり、携帯端末２００の消費電力を削減できる。
【０１１４】
（通話品質を向上させる場合の携帯端末２００への移動体３００外の携帯端末４２０からの電話発信の詳細）
図１５は、図１４において示した通話品質を向上させる場合の携帯端末２００への移動体３００外の携帯端末４２０からの電話発信の詳細を示すシーケンス図である。ここで、携帯端末２００の３Ｇ送受信機２１０は通信不能な状態に設定されている。そのため、移動体３００外の携帯端末４２０からの携帯端末２００への電話発信により、通信装置１００内の仮想端末１３０が、３Ｇ送受信機１１０により移動体３００外の携帯端末４２０からの電話着信通知を受信することになる。なお、電話着信通知は、電話の発信者番号からなる。
【０１１５】
携帯端末４２０からの電話着信通知を受信すると、図１５に示すように、通信装置１００の３Ｇ送受信機１１０は、電話着信通知と最適な基地局４１０の基地局情報を通信装置１００のＣＰＵ１０１に転送する（ステップＳ１５０１）。
【０１１６】
次に、通信装置１００のＣＰＵ１０１は、３Ｇ送受信機１１０に接続終了依頼を転送する（ステップＳ１５０２）。そして、電話着信通知と基地局情報とをＷｉｆｉ送受信機１２０に転送する（ステップＳ１５０３）。
【０１１７】
次に、通信装置１００のＣＰＵ１０１は、仮想端末１３０を削除して、携帯端末２００のエミュレーションを終了する（ステップＳ１５０４）。そして、転送された電話着信通知と基地局情報とを受信したＷｉｆｉ送受信機１２０は、携帯端末２００のＷｉｆｉ送受信機２２０に電話着信通知と基地局情報を送信する（ステップＳ１５０５）。
【０１１８】
次に、電話着信通知と基地局情報を受信した携帯端末２００のＷｉｆｉ送受信機２２０は、携帯端末２００のＣＰＵ２０１に電話着信通知と基地局情報を転送する（ステップＳ１５０６）。そして、携帯端末２００のＣＰＵ２０１は、転送された電話着信通知と基地局情報とを、３Ｇ送受信機２１０に転送し（ステップＳ１５０７）、３Ｇ送受信機２１０を有効化する。
【０１１９】
次に、３Ｇ送受信機２１０は、基地局情報によって特定される最適な基地局４１０との通信を開始する（ステップＳ１５０８）。そして、３Ｇ網４００から直接電話着信通知を受信して、通話を開始する（ステップＳ１５０９）。これにより、携帯端末２００は、自身の３Ｇ送受信機２１０により、基地局４１０を介して３Ｇ網４００へ接続し、携帯端末４２０との通話品質のよい通話を行うことができる。なお、Ｗｉｆｉ通信の接続自体は継続し、インターネット接続にのみ使用するようにしてもよい。
【０１２０】
次に、図１６および図１７を用いて、通信装置１００とＷｉｆｉ通信の接続中の携帯端末２００が移動体３００外の携帯端末４２０へ電話発信する場合の携帯端末２００の通話について説明する。
【０１２１】
（通話品質を向上させる場合の携帯端末２００による移動体３００外の携帯端末４２０への電話発信の具体例）
図１６は、通話品質を向上させる場合の携帯端末２００による移動体３００外の携帯端末４２０への電話発信の具体例を示す説明図である。図１６では、通信装置１００と携帯端末２００とのＷｉｆｉ通信が確立され、通信装置１００で仮想端末１３０が生成された状態である。
【０１２２】
ここで、携帯端末２００のユーザが、移動体３００外の携帯端末４２０へ電話をかける操作を行ったとする。ユーザからの操作により、移動体３００外の携帯端末４２０へ、携帯端末２００から電話発信依頼を発信する場合、まず、（１）携帯端末２００は、通信装置１００へ仮想端末１３０の停止依頼を送信する。
【０１２３】
停止依頼を受信した通信装置１００は、（２）基地局情報を携帯端末２００へ送信し、（３）仮想端末１３０を削除する。そして、通信装置１００と携帯端末２００とのＷｉｆｉ通信の接続を切断する。これにより、携帯端末２００は自ら３Ｇ網４００へ接続して通話することが可能となり、また、仮想端末１３０との混信を防止できる。
【０１２４】
基地局情報を受信した携帯端末２００は、３Ｇ送受信機２１０を通信可能な状態に設定して、自ら３Ｇ網４００へ接続して、（４）基地局４１０へ電話発信依頼を送信し、（５）電話発信依頼は３Ｇ網４００を経由して移動体３００外の携帯端末４２０へ送信される。このように、携帯端末２００は、電話の発信をすることができる。その後、携帯端末２００は、自ら３Ｇ網４００へ接続して通話する。これにより、携帯端末２００は、自身の３Ｇ送受信機２１０により、基地局４１０を介して３Ｇ網４００へ接続し、携帯端末４２０との通話品質のよい通話を行うことができる。
【０１２５】
なお、通話終了後、携帯端末２００が通信装置１００に仮想端末１３０の生成を依頼するようにし、携帯端末２００の３Ｇ送受信機２１０を通信不能な状態に再設定するようにしてもよい。これにより、再度通信装置１００が３Ｇ網４００へのハンドオーバを携帯端末２００の代わりに行うようになり、携帯端末２００の消費電力を削減できる。
【０１２６】
（通話品質を向上させる場合の携帯端末２００による移動体３００外の携帯端末４２０への電話発信の詳細）
図１７は、図１６において示した通話品質を向上させる場合の携帯端末２００による移動体３００外の携帯端末４２０への電話発信の詳細を示すシーケンス図である。ここでは、携帯端末２００のユーザが、移動体３００外の携帯端末４２０へ電話をかける操作を行ったとする。
【０１２７】
ユーザからの操作により、図１７に示すように、携帯端末２００のＣＰＵ２０１は、Ｗｉｆｉ送受信機２２０に、電話発信依頼を転送する（ステップＳ１７０１）。次に、電話発信依頼を受信した携帯端末２００のＷｉｆｉ送受信機２２０は、通信装置１００のＷｉｆｉ送受信機１２０に電話発信依頼を送信する（ステップＳ１７０２）。電話発信依頼は、具体的には、通信装置１００に基地局情報の送信を要求し、仮想端末１３０の削除を要求する依頼である。
【０１２８】
そして、電話発信依頼を受信したＷｉｆｉ送受信機１２０は、通信装置１００のＣＰＵ１０１に電話発信依頼を転送する（ステップＳ１７０３）。次に、通信装置１００のＣＰＵ１０１は、３Ｇ送受信機１１０に接続終了依頼を転送する（ステップＳ１７０４）。接続終了依頼を受信した３Ｇ送受信機１１０は、最適な基地局４１０を識別する基地局情報をＣＰＵ１０１に送信する（ステップＳ１７０５）。
【０１２９】
そして、通信装置１００のＣＰＵ１０１は、受信した基地局情報をＷｉｆｉ送受信機１２０に送信する（ステップＳ１７０６）。また、通信装置１００のＣＰＵ１０１は、仮想端末１３０を削除して、エミュレーションを終了する（ステップＳ１７０７）。次に、通信装置１００のＷｉｆｉ送受信機１２０は、基地局情報を携帯端末２００のＷｉｆｉ送受信機２２０に送信する（ステップＳ１７０８）。
【０１３０】
次に、基地局情報を受信した携帯端末２００のＷｉｆｉ送受信機２２０は、基地局情報をＣＰＵ２０１に送信する（ステップＳ１７０９）。そして、携帯端末２００のＣＰＵ２０１は、３Ｇ送受信機２１０に基地局情報を転送する（ステップＳ１７１０）。
【０１３１】
次に、携帯端末２００の３Ｇ送受信機２１０は、基地局情報によって特定される最適な基地局４１０との通信を開始する（ステップＳ１７１１）。そして、３Ｇ網４００に直接電話発信依頼を送信して、通話を開始する（ステップＳ１７１２）。これにより、携帯端末２００は、自身の３Ｇ送受信機２１０により、基地局４１０を介して３Ｇ網４００へ接続し、携帯端末４２０との通話品質のよい通話を行うことができる。なお、Ｗｉｆｉ通信の接続自体は継続し、インターネット接続にのみ使用するようにしてもよい。
【０１３２】
（通信装置１００の機能的構成例）
次に、上述した処理を実行する通信装置１００および携帯端末２００の機能的構成例について説明する。
【０１３３】
図１８は、通信装置１００の機能的構成例を示す機能ブロック図である。図１８に示すように、通信装置１００は、検出部１８０１と、第１の受信部１８０２と、第１の転送部１８０３と、第１の送信部１８０４と、第２の受信部１８０５と、第２の転送部１８０６と、第２の送信部１８０７と、第１の依頼受信部１８０８と、通知部１８０９と、停止部１８１０と、特定情報受信部１８１１と、抽出部１８１２と、第３の受信部１８１３と、完了通知部１８１４と、第２の依頼受信部１８１５と、を備える。
【０１３４】
ここで、検出部１８０１と、第１の受信部１８０２と、第１の転送部１８０３と、第２の送信部１８０７と、第２の依頼受信部１８１５と、は代替通信部１８２に含まれる。また、特定情報受信部１８１１と、抽出部１８１２と、は制御部１８１に含まれる。ここで、代替通信部１８２とは、上述した仮想端末１３０であり、移動体通信網内のいずれかの基地局４１０と通信を行う携帯端末２００の通信機能を有する。
【０１３５】
検出部１８０１は、第１の通信手段に、通信装置１００の通信圏内にあるいずれかの基地局４１０を検出させる機能を有する。
【０１３６】
ここで、移動体通信網とは、上述した移動体外の無線通信網であり、例えば、３Ｇ網４００である。第１の通信手段とは、３Ｇ網４００との通信手段であり、例えば、上述した通信装置１００が有する３Ｇ送受信機１１０である。
【０１３７】
検出部１８０１は、具体的には、例えば、３Ｇ送受信機１１０を用いて、３Ｇ網４００の複数の基地局４１０の電波を受信し、受信した電波強度が最も強い基地局４１０を検出する。
【０１３８】
これにより、検出部１８０１は、複数の基地局４１０のうち最も通信品質がよい基地局４１０（受信した電波強度が最も強い基地局４１０、上述した「最適な基地局」）を検出できる。すなわち、検出部１８０１は、３Ｇ網４００へのハンドオーバを、携帯端末２００に代わって行うことができる。
【０１３９】
検出部１８０１は、具体的には、例えば、図３に示した記憶装置１０２に記憶された通信プログラムをＣＰＵ１０１に実行させることにより、その機能を実現する。
【０１４０】
第１の受信部１８０２は、制御部１８１により、第１の通信手段（例えば、３Ｇ送受信機１１０）に、検出部１８０１によって検出されたいずれかの基地局４１０からデータを受信させる機能を有する。ここで、データとは、３Ｇ送受信機１１０を用いて受信されたデータであり、例えば、３Ｇ網４００を経由してＩＰ網５００内のサーバ５１０から受信したコンテンツや３Ｇ網４００を経由して携帯端末４２０から受信した通話内容である。
【０１４１】
具体的には、例えば、第１の受信部１８０２は、３Ｇ送受信機１１０を用いて、３Ｇ網４００を経由してＩＰ網５００内のサーバ５１０からコンテンツを受信する。また、第１の受信部１８０２は、３Ｇ送受信機１１０を用いて、３Ｇ網４００を経由して携帯端末４２０から通話内容を受信する。これにより、第１の受信部１８０２は、携帯端末２００の代わりにデータを受信することができる。
【０１４２】
第１の受信部１８０２は、具体的には、例えば、図３に示した記憶装置１０２に記憶された通信プログラムをＣＰＵ１０１に実行させることにより、その機能を実現する。
【０１４３】
第１の転送部１８０３は、第１の受信部１８０２により受信されたデータを第２の通信手段に転送させる機能を有する。ここで、第２の通信手段とは、通信装置１００と携帯端末２００との相互間通信手段であり、例えば、上述した通信装置１００が有するＷｉｆｉ送受信機１２０である。
【０１４４】
具体的には、例えば、第１の転送部１８０３は、３Ｇ送受信機１１０により受信されたデータをＷｉｆｉ送受信機１２０へ転送する。これにより、第１の転送部１８０３は、サーバ５１０または携帯端末４２０から、携帯端末２００へ送信されるデータを中継することができる。
【０１４５】
第１の転送部１８０３は、具体的には、例えば、図３に示した記憶装置１０２に記憶された通信プログラムをＣＰＵ１０１に実行させることにより、その機能を実現する。
【０１４６】
第１の送信部１８０４は、第２の通信手段（例えば、Ｗｉｆｉ送受信機１２０）に、第１の転送部１８０３によって転送されたデータを、携帯端末２００へ送信する機能を有する。具体的には、例えば、第１の送信部１８０４は、Ｗｉｆｉ送受信機１２０を用いて、携帯端末２００へデータを送信する。これにより、第１の送信部１８０４は、サーバ５１０または携帯端末４２０から携帯端末２００へ通信させることができる。
【０１４７】
第１の送信部１８０４は、具体的には、例えば、図３に示した記憶装置１０２に記憶された通信プログラムをＣＰＵ１０１に実行させることにより、その機能を実現する。
【０１４８】
第２の受信部１８０５は、第２の通信手段（例えば、Ｗｉｆｉ送受信機１２０）により、携帯端末２００からデータを受信する機能を有する。ここで、データとは、Ｗｉｆｉ送受信機１２０を用いて受信されたデータであり、例えば、携帯端末２００から受信した通話内容またはコンテンツである。
【０１４９】
具体的には、例えば、第２の受信部１８０５は、Ｗｉｆｉ送受信機１２０を用いて、携帯端末２００から通話内容またはコンテンツを受信する。これにより、第２の受信部１８０５は、携帯端末２００からデータを受信することができる。
【０１５０】
第２の受信部１８０５は、具体的には、例えば、図３に示した記憶装置１０２に記憶された通信プログラムをＣＰＵ１０１に実行させることにより、その機能を実現する。
【０１５１】
第２の転送部１８０６は、第２の受信部１８０５により受信されたデータを第１の通信手段（例えば、３Ｇ送受信機１１０）に転送する機能を有する。具体的には、例えば、第２の転送部１８０６は、Ｗｉｆｉ送受信機１２０により受信されたデータを３Ｇ送受信機１１０へ転送する。これにより、第２の転送部１８０６は、携帯端末２００から、サーバ５１０または携帯端末４２０へ送信されるデータを中継することができる。
【０１５２】
第２の転送部１８０６は、具体的には、例えば、図３に示した記憶装置１０２に記憶された通信プログラムをＣＰＵ１０１に実行させることにより、その機能を実現する。
【０１５３】
第２の送信部１８０７は、第１の通信手段（例えば、３Ｇ送受信機１１０）に、第２の転送部１８０６によって転送されてきたデータを、検出部１８０１によって検出されたいずれかの基地局４１０へ送信させる機能を有する。
【０１５４】
具体的には、例えば、第２の送信部１８０７は、３Ｇ送受信機１１０を用いて、３Ｇ網４００を経由してＩＰ網５００内のサーバ５１０へとコンテンツを送信する。または、第２の送信部１８０７は、３Ｇ送受信機１１０を用いて、３Ｇ網４００を経由して携帯端末４２０へと通話内容を送信する。これにより、第２の送信部１８０７は、携帯端末２００からサーバ５１０または携帯端末４２０へ通信させることができる。
【０１５５】
第２の送信部１８０７は、具体的には、例えば、図３に示した記憶装置１０２に記憶された通信プログラムをＣＰＵ１０１に実行させることにより、その機能を実現する。
【０１５６】
第１の依頼受信部１８０８は、第２の通信手段（例えば、Ｗｉｆｉ送受信機１２０）により、携帯端末２００から通信機能の実行の停止依頼を受信する機能を有する。停止依頼は、例えば、携帯端末２００が移動体３００内から移動体３００外へ移動する際に、ユーザの操作により携帯端末２００から送信される。また、停止依頼は、例えば、ユーザの操作により携帯端末２００が電話の発信を行う際に、携帯端末２００から送信される。すなわち、停止依頼は、携帯端末２００が自ら３Ｇ網４００へ接続する際に送信される。
【０１５７】
具体的には、例えば、第１の依頼受信部１８０８は、Ｗｉｆｉ送受信機１２０を用いて、携帯端末２００から仮想端末１３０の停止依頼を受信する。これにより、携帯端末２００が自ら３Ｇ網４００へ接続する際に、第１の依頼受信部１８０８は、仮想端末１３０を削除することができる。
【０１５８】
また、第２の依頼受信部１８１５は、第１の通信手段（例えば、３Ｇ送受信機１１０）に、いずれかの基地局４１０から携帯端末２００への通話依頼を受信させる機能を有する。具体的には、例えば、第２の依頼受信部１８１５は、３Ｇ網４００を経由して携帯端末４２０からの通話依頼（電話着信通知）を受信する。これにより、第２の依頼受信部１８１５は、携帯端末２００の代わりに通話依頼（電話着信通知）を受信することができる。
【０１５９】
第１の依頼受信部１８０８および第２の依頼受信部１８１５は、具体的には、例えば、図３に示した記憶装置１０２に記憶された通信プログラムをＣＰＵ１０１に実行させることにより、その機能を実現する。
【０１６０】
通知部１８０９は、第２の依頼受信部１８１５によって通話依頼が受信された場合、検出部１８０１によって検出されたいずれかの基地局４１０を識別する基地局情報を、第２の通信手段（例えば、Ｗｉｆｉ送受信機１２０）により、携帯端末２００へ通知する機能を有する。ここで、基地局情報とは、基地局４１０から受信した電波の周波数と信号強度である。また、基地局情報には、基地局４１０から受信したエリア情報を含めてもよい。
【０１６１】
具体的には、例えば、通知部１８０９は、上述した最適な基地局４１０から受信した電波の周波数と信号強度を、携帯端末２００に通知する。これにより、通知部１８０９は、携帯端末２００が自ら３Ｇ網４００へ接続する際に使用する最適な基地局４１０を識別する基地局情報を、携帯端末２００に通知することができる。
【０１６２】
また、通知部１８０９は、第１の依頼受信部１８０８によって停止依頼が受信された場合、検出部１８０１によって検出されたいずれかの基地局４１０を識別する基地局情報を、第２の通信手段により、携帯端末２００に通知する機能を有する。第２の通信手段とは、例えば、Ｗｉｆｉ送受信機１２０である。
【０１６３】
具体的には、例えば、通知部１８０９は、上述した最適な基地局４１０から受信した電波の周波数と信号強度を、携帯端末２００に通知する。これにより、通知部１８０９は、携帯端末２００が自ら３Ｇ網４００へ接続する際に使用する最適な基地局４１０を識別する基地局情報を、携帯端末２００に通知することができる。
【０１６４】
通知部１８０９は、具体的には、例えば、図３に示した記憶装置１０２に記憶された通信プログラムをＣＰＵ１０１に実行させることにより、その機能を実現する。
【０１６５】
停止部１８１０は、通知部１８０９によって基地局情報が通知された場合、制御部１８１による通信機能の実行を停止する機能を有する。具体的には、停止部１８１０は、仮想端末１３０を削除する。これにより、携帯端末２００が自ら３Ｇ網４００へ接続する際に、仮想端末１３０と混信を起こすことを防止することができる。
【０１６６】
停止部１８１０は、具体的には、例えば、図３に示した記憶装置１０２に記憶された通信プログラムをＣＰＵ１０１に実行させることにより、その機能を実現する。
【０１６７】
特定情報受信部１８１１は、第２の通信手段により、移動体通信網内のいずれかの基地局と通信を行う携帯端末２００の通信機能を一意に特定する特定情報を携帯端末２００から受信する機能を有する。ここで、特定情報とは、携帯端末２００の通信機能を実現するＯＳを特定できる情報であり、例えば、携帯端末２００の機種情報である。
【０１６８】
具体的には、例えば、特定情報受信部１８１１は、Ｗｉｆｉ送受信機１２０を用いて、携帯端末２００から、携帯端末２００の機種情報を受信する。これにより、特定情報受信部１８１１は、携帯端末２００のＯＳの種類を特定することができる。
【０１６９】
特定情報受信部１８１１は、第３の通信手段により、移動体通信網内のいずれかの基地局と通信を行う携帯端末２００の通信機能を一意に特定する特定情報を携帯端末２００から受信する機能を有する。ここで、第３の通信手段とは、通信装置１００と携帯端末２００との相互間通信手段であり、第２の通信手段より携帯端末２００の電力消費が少ない通信手段である。第３の通信手段とは、例えば、上述した通信装置１００が有するＲＦＩＤ送受信機１４０である。
【０１７０】
具体的には、例えば、特定情報受信部１８１１は、ＲＦＩＤ送受信機１４０を用いて、携帯端末２００から、携帯端末２００の機種情報を受信する。これにより、特定情報受信部１８１１は、携帯端末２００のＯＳの種類を特定することができる。
【０１７１】
特定情報受信部１８１１は、具体的には、例えば、図３に示した記憶装置１０２に記憶された通信プログラムをＣＰＵ１０１に実行させることにより、その機能を実現する。
【０１７２】
抽出部１８１２は、通信機能を実現する複数種類の代替通信手段の中から、受信した特定情報に基づいて、携帯端末２００の代替通信手段を制御する機能を有する。ここで、複数種類の代替通信手段とは、複数種類のＯＳであり、上述したデータベース１０２ｂに記憶されている。抽出されたＯＳが上述した仮想端末１３０になる。
【０１７３】
具体的には、例えば、抽出部１８１２は、上述したデータベース１０２ｂから、特定情報によって特定される携帯端末２００が使用しているＯＳを抽出する。これにより、携帯端末２００の機種に対応した仮想端末１３０になるＯＳを抽出できる。
【０１７４】
抽出部１８１２は、具体的には、例えば、図３に示した記憶装置１０２に記憶された通信プログラムをＣＰＵ１０１に実行させることにより、その機能を実現する。
【０１７５】
第３の受信部１８１３は、第３の通信手段により、携帯端末２００に固有の識別情報を受信する機能を有する。ここで、携帯端末２００に固有の識別情報とは、携帯端末２００固有のＭＡＣアドレスとＳＩＭ番号である。具体的には、例えば、第３の受信部１８１３は、ＲＦＩＤ送受信機１４０を用いて、携帯端末２００から、携帯端末２００のＭＡＣアドレスとＳＩＭ番号を受信する。これにより、第３の受信部１８１３は、ＲＦＩＤ送受信機１４０を用いて、携帯端末２００とＷｉｆｉ通信する際に必要となるＭＡＣアドレスとＳＩＭ番号とを受信することができる。
【０１７６】
第３の受信部１８１３は、具体的には、例えば、図３に示した記憶装置１０２に記憶された通信プログラムをＣＰＵ１０１に実行させることにより、その機能を実現する。
【０１７７】
完了通知部１８１４は、第２の通信手段により、第３の受信部１８１３によって受信された識別情報に基づき携帯端末２００へ接続完了通知を通知する機能を有する。ここで、接続完了通知とは、Ｗｉｆｉ送受信機１２０による、通信装置１００と携帯端末２００との接続が完了したことを示す通知である。
【０１７８】
完了通知部１８１４は、具体的には、例えば、第３の受信部１８１３によって受信されたＭＡＣアドレスを宛先として、携帯端末２００に接続完了を通知する。これにより、完了通知部１８１４は、携帯端末２００との接続を確立させることができる。
【０１７９】
完了通知部１８１４は、具体的には、例えば、図３に示した記憶装置１０２に記憶された通信プログラムをＣＰＵ１０１に実行させることにより、その機能を実現する。
【０１８０】
（携帯端末２００の機能的構成例）
図１９は、携帯端末２００の機能的構成例を示す機能ブロック図である。図１９に示すように、携帯端末２００は、判断部１９０１と、切替部１９０２と、送信部１９０３と、受信部１９０４と、を備える。
【０１８１】
判断部１９０１は、第２の通信手段による通信装置１００との接続が確立しているか否か判断する機能を有する。ここで、第２の通信手段とは、通信装置１００と携帯端末２００との相互間通信手段であり、例えば、上述した携帯端末２００が有するＷｉｆｉ送受信機２２０である。
【０１８２】
具体的には、例えば、判断部１９０１は、Ｗｉｆｉ送受信機２２０を用いて、通信装置１００へ接続依頼を送信し、通信装置１００からの接続完了通知を受信したか否かを判定する。これにより、Ｗｉｆｉ送受信機２２０によって、通信装置１００との接続が確立しているか判定することができる。
【０１８３】
判断部１９０１は、受信部１９０４によって接続完了通知が受信された場合、第２の通信手段による接続が確立していると判断する機能を有する。ここで、接続完了通知とは、Ｗｉｆｉ送受信機２２０による、通信装置１００と携帯端末２００との接続が完了したことを示す通知である。
【０１８４】
具体的には、例えば、判断部１９０１は、Ｗｉｆｉ送受信機２２０を用いて、通信装置１００へ接続依頼を送信し、通信装置１００からの接続完了通知を受信したか否かを判定する。これにより、Ｗｉｆｉ送受信機２２０によって、通信装置１００との接続が確立しているか判定することができる。
【０１８５】
判断部１９０１は、具体的には、例えば、図４に示した記憶装置２０２に記憶された通信プログラムをＣＰＵ２０１に実行させることにより、その機能を実現する。
【０１８６】
切替部１９０２は、判断部１９０１によって第２の通信手段による接続が確立していると判断された場合、第１の通信手段を通信可能な状態から通信不能な状態に切り替える機能を有する。ここで、第１の通信手段とは、３Ｇ網４００との通信手段であり、例えば、上述した携帯端末２００が有する３Ｇ送受信機２１０である。
【０１８７】
具体的には、例えば、切替部１９０２は、Ｗｉｆｉ送受信機２２０による接続が確立した場合、３Ｇ送受信機２１０を通信不能な状態に切り替える。通信不能な状態とは、例えば、３Ｇ送受信機２１０の電源がオフとなっている状態である。
【０１８８】
切替部１９０２は、具体的には、例えば、図４に示した記憶装置２０２に記憶された通信プログラムをＣＰＵ２０１に実行させることにより、その機能を実現する。
【０１８９】
送信部１９０３は、第３の通信手段により、第２の通信手段による通信装置１００と携帯端末２００との接続依頼を、通信装置１００に送信する機能を有する。ここで、接続依頼とは、携帯端末２００固有の識別情報であり、例えば、ＭＡＣアドレスとＳＩＭ番号である。第３の通信手段とは、通信装置１００と携帯端末２００との相互間通信手段であり、第２の通信手段より携帯端末２００の電力消費が少ない通信手段である。第３の通信手段とは、例えば、上述した携帯端末２００が有するＲＦＩＤ送受信機２４０である。
【０１９０】
具体的には、例えば、送信部１９０３は、通信装置１００へ、ＲＦＩＤ送受信機２４０を用いて、携帯端末２００のＭＡＣアドレスとＳＩＭ番号とを送信する。これにより、送信部１９０３は、通信装置１００が携帯端末２００との接続を確立するために用いる識別情報を送信することができる。
【０１９１】
送信部１９０３は、具体的には、例えば、図４に示した記憶装置２０２に記憶された通信プログラムをＣＰＵ２０１に実行させることにより、その機能を実現する。
【０１９２】
受信部１９０４は、第３の通信手段により、第２の通信手段による通信装置１００と携帯端末２００との接続完了通知を、通信装置１００から受信する機能を有する。具体的には、例えば、受信部１９０４は、通信装置１００から、ＲＦＩＤ送受信機２４０により、接続完了通知を受信する。これにより、受信部１９０４は、通信装置１００と携帯端末２００との接続完了通知を受信できる。
【０１９３】
受信部１９０４は、具体的には、例えば、図４に示した記憶装置２０２に記憶された通信プログラムをＣＰＵ２０１に実行させることにより、その機能を実現する。
【０１９４】
このように、上述した携帯端末２００の機能的構成例によれば、携帯端末２００は、Ｗｉｆｉ送受信機２２０を用いて、または、ＲＦＩＤ送受信機２４０を用いて、通信装置１００とのＷｉｆｉ通信を確立することができる。
【０１９５】
このように、上述した実施の形態では、通信装置１００は、移動体３００内の携帯端末２００に対応する仮想端末１３０を生成し、生成された仮想端末１３０が３Ｇ送受信機１１０を用いて、移動体３００内の携帯端末２００が行っていた３Ｇ網４００へのハンドオーバを肩代わりする。そのため、携帯端末２００は、ハンドオーバを繰り返す必要はなく、携帯端末２００の消費電力量の低減を図ることができる。
【０１９６】
また、通信装置１００は、３Ｇ送受信機１１０により３Ｇ網４００と通信可能な状態であり、さらに、携帯端末２００と通信装置１００とのＷｉｆｉ通信の確立により、Ｗｉｆｉ通信により携帯端末２００と通信可能な状態になる。そして、通信装置１００は、生成した携帯端末２００の仮想端末１３０により、基地局４１０と携帯端末２００とのデータの送受信を中継することができるようになる。
【０１９７】
すなわち、通信装置１００は、移動体３００外の携帯端末４２０からの携帯端末２００への電話着信通知を中継して、携帯端末２００へと転送することができる。また、通信装置１００は、携帯端末２００から移動体３００外の携帯端末４２０への電話発信依頼を中継して、基地局４１０に転送することができる。さらに、通信装置１００は、移動体３００外の携帯端末４２０と、携帯端末２００と、の間の通話内容を中継することができる。また、通信装置１００は、ＩＰ網５００のサーバ５１０と、携帯端末２００と、の間の通信内容を中継することができる。
【０１９８】
これにより、携帯端末２００のユーザは、携帯端末２００の３Ｇ送受信機２１０が通信不能な状態であっても、インターネット通信・通話を行うことができる。そのため、移動体３００に搭乗中は、携帯端末２００の３Ｇ送受信機２１０を常に通信不能に設定して消費電力量の低減を図ったとしても、携帯端末２００のユーザに不便を強いることがなくなる。
【０１９９】
そして、携帯端末２００は、降車の際には、通信装置１００に基地局情報を問い合わせて、３Ｇ送受信機２１０を通信可能な状態に設定し直すことができる。これにより、移動体３００に搭乗中に、ハンドオーバを行わなくても、降車時に即座に最適な基地局４１０との通信を開始することができる。
【０２００】
また、携帯端末２００は、電話発信依頼の送信または電話着信通知の受信の際に、通信装置１００に基地局情報を問い合わせて、３Ｇ送受信機２１０を通信可能な状態に設定することにより、品質のよい通話をするようにしてもよい。
【０２０１】
また、携帯端末２００は、ＲＦＩＤ送受信機２４０により、通信装置１００とのＷｉｆｉ通信の確立に必要な接続情報を受信する。これにより、携帯端末２００は、Ｗｉｆｉ送受信機２２０による通信装置１００のＷｉｆｉ送受信機１２０のスキャンを行わずに、Ｗｉｆｉ通信を確立するための接続情報を受信することができる。そのため、携帯端末２００は、従来、Ｗｉｆｉ送受信機２２０による通信装置１００のＷｉｆｉ送受信機１２０のスキャンに使用していた消費電力を削減することができる。
【０２０２】
上述した実施の形態に関し、さらに以下の付記を開示する。
【０２０３】
（付記１）携帯端末と通信装置が移動体内で通信を行う通信システムであって、
前記携帯端末は、
移動体通信網内のいずれかの基地局と通信を行う第１の通信手段と、
前記通信装置と通信を行う第２の通信手段と、
前記第２の通信手段による前記通信装置との接続が確立しているか否か判断する判断手段と、
前記判断手段によって前記第２の通信手段による接続が確立していると判断された場合、前記第１の通信手段への電力供給を停止する切替手段と、を備え、
前記通信装置は、
前記移動体通信網内のいずれかの基地局と通信を行う第３の通信手段と、
前記携帯端末と通信を行うとともに、前記第３の通信手段とのデータの送受信を行う第４の通信手段と、
前記移動体通信網内の前記いずれかの基地局と通信を行う前記携帯端末の通信機能を実現する代替通信手段を制御する制御手段と、を備え、
前記制御手段によって制御された代替通信手段は、
前記第３の通信手段に、前記通信装置の通信圏内にある前記いずれかの基地局を検出させ、検出された前記いずれかの基地局からデータを受信させ、受信されたデータを前記第４の通信手段に転送させる第１のデータ処理手段と、
前記携帯端末から前記第４の通信手段に受信されたデータが前記第３の通信手段に転送された場合、前記第３の通信手段に、前記通信装置の通信圏内にある前記いずれかの基地局を検出させ、転送されてきたデータを、検出された前記いずれかの基地局へ送信させる第２のデータ処理手段と、
を備えることを特徴とする通信システム。
【０２０４】
（付記２）移動体通信網内のいずれかの基地局と通信を行う第１の通信手段と、移動体内で携帯端末と通信を行うとともに、前記第１の通信手段とのデータの送受信を行う第２の通信手段と、を備える通信装置に、
前記移動体通信網内の前記いずれかの基地局と通信を行う前記携帯端末の通信機能を実現する代替通信手段を制御し、
制御された代替通信手段により、前記第１の通信手段に、前記通信装置の通信圏内にある前記いずれかの基地局を検出させ、検出された前記いずれかの基地局からデータを受信させ、受信されたデータを前記第２の通信手段に転送させる、
処理を実行させることを特徴とする通信プログラム。
【０２０５】
（付記３）移動体通信網内のいずれかの基地局と通信を行う第１の通信手段と、移動体内で携帯端末と通信を行うとともに、前記第１の通信手段とのデータの送受信を行う第２の通信手段と、を備える通信装置に、
前記移動体通信網内の前記いずれかの基地局と通信を行う前記携帯端末の通信機能を実現する代替通信手段を制御し、
制御された代替通信手段により、前記携帯端末から前記第２の通信手段に受信されたデータが前記第１の通信手段に転送された場合、前記第１の通信手段に、前記通信装置の通信圏内にある前記いずれかの基地局を検出させ、転送されてきたデータを、検出された前記いずれかの基地局へ送信させる、
処理を実行させることを特徴とする通信プログラム。
【０２０６】
（付記４）前記通信装置に、
制御された代替通信手段により、前記携帯端末から前記第２の通信手段に受信されたデータが前記第１の通信手段に転送された場合、前記第１の通信手段に、前記通信装置の通信圏内にある前記いずれかの基地局を検出させ、転送されてきたデータを、検出された前記いずれかの基地局へ送信させる、
処理を実行させることを特徴とする付記２に記載の通信プログラム。
【０２０７】
（付記５）前記通信装置に、
制御された代替通信手段により、前記第１の通信手段に、前記いずれかの基地局から前記携帯端末への通話依頼を受信させ、
前記通話依頼が受信された場合、検出された前記いずれかの基地局を識別する基地局情報を、前記第２の通信手段により、前記携帯端末へ通知し、
前記基地局情報が通知された場合、前記制御手段による前記通信機能の実行を停止する、
処理を実行させることを特徴とする付記２または４に記載の通信プログラム。
【０２０８】
（付記６）前記通信装置に、
前記第２の通信手段により、前記携帯端末から前記通信機能の実行の停止依頼を受信し、
前記停止依頼が受信された場合、検出された前記いずれかの基地局を識別する基地局情報を、前記第２の通信手段により、前記携帯端末に通知し、
前記基地局情報が通知された場合、前記制御手段による前記通信機能の実行を停止する、
処理を実行させることを特徴とする付記３または４に記載の通信プログラム。
【０２０９】
（付記７）前記通信装置に、
前記移動体通信網内の前記いずれかの基地局と通信を行う前記携帯端末の通信機能を一意に特定する特定情報を前記携帯端末から受信し、前記通信機能を実現する複数種類の代替通信手段の中から、受信した前記特定情報に基づいて、前記携帯端末の代替通信手段を抽出させる、
処理を実行させることを特徴とする付記２〜６のいずれか一つに記載の通信プログラム。
【０２１０】
（付記８）前記通信装置に、
前記第２の通信手段により、前記通信機能を実現するソフトウェアを一意に特定する特定情報を前記携帯端末から受信する、
処理を実行させることを特徴とする付記２〜７のいずれか一つに記載の通信プログラム。
【０２１１】
（付記９）前記第２の通信手段より消費電力が少なくなる通信方式で前記携帯端末と通信を行う第３の通信手段をさらに備える前記通信装置に、
前記第３の通信手段により、前記通信機能を実現するソフトウェアを一意に特定する特定情報を前記携帯端末から受信する、
処理を実行させることを特徴とする付記２〜７のいずれか一つに記載の通信プログラム。
【０２１２】
（付記１０）前記通信装置に、
前記第３の通信手段により、前記携帯端末に固有の識別情報を受信し、
前記第２の通信手段により、受信された前記識別情報に基づいて前記携帯端末へ接続完了通知を通知する、
処理を実行させることを特徴とする付記９に記載の通信プログラム。
【０２１３】
（付記１１）移動体通信網内のいずれかの基地局と通信を行う第１の通信手段と、移動体内の通信装置と通信を行う第２の通信手段と、を有する携帯端末に、
前記第２の通信手段による前記通信装置との接続が確立しているか否かを判断し、
前記第２の通信手段による接続が確立していると判断された場合、前記第１の通信手段への電力供給を停止する、
処理を実行させることを特徴とする通信プログラム。
【０２１４】
（付記１２）前記第２の通信手段より消費電力が少なくなる通信方式で前記通信装置と通信を行う第３の通信手段をさらに備える前記携帯端末に、
前記第３の通信手段により、前記第２の通信手段による前記通信装置と前記携帯端末との接続依頼を、前記通信装置に送信し、
前記第３の通信手段により、前記第２の通信手段による前記通信装置と前記携帯端末との接続完了通知を、前記通信装置から受信する処理を実行させ、
前記通信装置との接続が確立しているか否かを判断する処理は、
前記接続完了通知が受信された場合、前記第２の通信手段による接続が確立していると判断することを特徴とする付記１１に記載の通信プログラム。
【０２１５】
（付記１３）移動体内で携帯端末と通信を行う通信装置であって、
移動体通信網内のいずれかの基地局と通信を行う第１の通信手段と、
移動体内で携帯端末と通信を行うとともに、前記第１の通信手段とのデータの送受信を行う第２の通信手段と、
前記移動体通信網内の前記いずれかの基地局と通信を行う前記携帯端末の通信機能を実現する代替通信手段を制御する制御手段と、を備え、
前記制御手段によって制御された代替通信手段は、
前記第１の通信手段に、前記通信装置の通信圏内にある前記いずれかの基地局を検出させ、検出された前記いずれかの基地局からデータを受信させ、受信されたデータを前記第２の通信手段に転送させるデータ処理手段、
を備えることを特徴とする通信装置。
【０２１６】
（付記１４）移動体内で携帯端末と通信を行う通信装置であって、
移動体通信網内のいずれかの基地局と通信を行う第１の通信手段と、
移動体内で携帯端末と通信を行うとともに、前記第１の通信手段とのデータの送受信を行う第２の通信手段と、
前記移動体通信網内の前記いずれかの基地局と通信を行う前記携帯端末の通信機能を実現する代替通信手段を制御する制御手段と、を備え、
前記制御手段によって制御された代替通信手段は、
前記携帯端末から前記第２の通信手段に受信されたデータが前記第１の通信手段に転送された場合、前記第１の通信手段に、前記通信装置の通信圏内にある前記いずれかの基地局を検出させ、転送されてきたデータを、検出された前記いずれかの基地局へ送信させるデータ処理手段、
を備えることを特徴とする通信装置。
【０２１７】
（付記１５）前記制御手段によって制御された代替通信手段は、
前記携帯端末から前記第２の通信手段に受信されたデータが前記第１の通信手段に転送された場合、前記第１の通信手段に、前記通信装置の通信圏内にある前記いずれかの基地局を検出させ、転送されてきたデータを、検出された前記いずれかの基地局へ送信させる第２のデータ処理手段を備えることを特徴とする付記１３に記載の通信装置。
【０２１８】
（付記１６）前記制御手段によって制御された代替通信手段は、
前記第１の通信手段に、前記いずれかの基地局から前記携帯端末への通話依頼を受信させる依頼受信手段を備え、
前記通信装置は、
前記依頼受信手段によって前記通話依頼が受信された場合、前記代替通信手段によって検出された前記いずれかの基地局を識別する基地局情報を、前記第２の通信手段により、前記携帯端末へ通知する通知手段と、
前記通知手段によって前記基地局情報が通知された場合、前記制御手段による前記通信機能の実行を停止する停止手段と、
を備えることを特徴とする付記１３または１５に記載の通信装置。
【０２１９】
（付記１７）前記第２の通信手段により、前記携帯端末から前記通信機能の実行の停止依頼を受信する依頼受信手段と、
前記依頼受信手段によって前記停止依頼が受信された場合、前記代替通信手段によって検出された前記いずれかの基地局を識別する基地局情報を、前記第２の通信手段により、前記携帯端末に通知する通知手段と、
前記通知手段によって前記基地局情報が通知された場合、前記制御手段による前記通信機能の実行を停止する停止手段と、
を備えることを特徴とする付記１４または１５に記載の通信装置。
【０２２０】
（付記１８）前記制御手段は、
前記移動体通信網内の前記いずれかの基地局と通信を行う前記携帯端末の通信機能を一意に特定する特定情報を前記携帯端末から受信し、前記通信機能を実現する複数種類の代替通信手段の中から、受信した前記特定情報に基づいて、前記携帯端末の代替通信手段を抽出することを特徴とする付記１３〜１７のいずれか一つに記載の通信装置。
【０２２１】
（付記１９）前記第２の通信手段により、前記通信機能を実現するソフトウェアを一意に特定する特定情報を前記携帯端末から受信することを特徴とする付記１３〜１８のいずれか一つに記載の通信装置。
【０２２２】
（付記２０）前記通信装置は、
前記第２の通信手段より消費電力が少なくなる通信方式で前記携帯端末と通信を行う第３の通信手段をさらに備え、
前記第３の通信手段により、前記通信機能を実現するソフトウェアを一意に特定する特定情報を前記携帯端末から受信することを特徴とする付記１３〜１８のいずれか一つに記載の通信装置。
【０２２３】
（付記２１）前記第３の通信手段により、前記携帯端末に固有の識別情報を受信する受信手段と、
前記第２の通信手段により、前記受信手段によって受信された前記識別情報に基づいて前記携帯端末へ接続完了通知を通知する完了通知手段と、
を備えることを特徴とする付記２０に記載の通信装置。
【０２２４】
（付記２２）移動体通信網内のいずれかの基地局と通信を行う第１の通信手段と、
移動体内の通信装置と通信を行う第２の通信手段と、
前記第２の通信手段による前記通信装置との接続が確立しているか否か判断する判断手段と、
前記判断手段によって前記第２の通信手段による接続が確立していると判断された場合、前記第１の通信手段への電力供給を停止する切替手段と、
を備えることを特徴とする携帯端末。
【０２２５】
（付記２３）前記第２の通信手段より消費電力が少なくなる通信方式で前記通信装置と通信を行う第３の通信手段と、
前記第３の通信手段により、前記第２の通信手段による前記通信装置と前記携帯端末との接続依頼を、前記通信装置に送信する送信手段と、
前記第３の通信手段により、前記第２の通信手段による前記通信装置と前記携帯端末との接続完了通知を、前記通信装置から受信する受信手段と、を備え、
前記判断手段は、
前記受信手段によって前記接続完了通知が受信された場合、前記第２の通信手段による接続が確立していると判断することを特徴とする付記２２に記載の携帯端末。
【０２２６】
（付記２４）移動体通信網内のいずれかの基地局と通信を行う第１の通信手段と、移動体内で携帯端末と通信を行うとともに、前記第１の通信手段とのデータの送受信を行う第２の通信手段と、を備える通信装置が、
前記移動体通信網内の前記いずれかの基地局と通信を行う前記携帯端末の通信機能を実現する代替通信手段を制御し、
制御された代替通信手段により、前記第１の通信手段に、前記通信装置の通信圏内にある前記いずれかの基地局を検出させ、検出された前記いずれかの基地局からデータを受信させ、受信されたデータを前記第２の通信手段に転送させる、
処理を実行することを特徴とする通信方法。
【０２２７】
（付記２５）移動体通信網内のいずれかの基地局と通信を行う第１の通信手段と、移動体内で携帯端末と通信を行うとともに、前記第１の通信手段とのデータの送受信を行う第２の通信手段と、を備える通信装置が、
前記移動体通信網内の前記いずれかの基地局と通信を行う前記携帯端末の通信機能を実現する代替通信手段を制御し、
制御された代替通信手段により、前記携帯端末から前記第２の通信手段に受信されたデータが前記第１の通信手段に転送された場合、前記第１の通信手段に、前記通信装置の通信圏内にある前記いずれかの基地局を検出させ、転送されてきたデータを、検出された前記いずれかの基地局へ送信させる、
処理を実行することを特徴とする通信方法。
【０２２８】
（付記２６）前記通信装置が、
制御された代替通信手段により、前記携帯端末から前記第２の通信手段に受信されたデータが前記第１の通信手段に転送された場合、前記第１の通信手段に、前記通信装置の通信圏内にある前記いずれかの基地局を検出させ、転送されてきたデータを、検出された前記いずれかの基地局へ送信させる、
処理を実行することを特徴とする付記２４に記載の通信方法。
【０２２９】
（付記２７）前記通信装置が、
制御された代替通信手段により、前記第１の通信手段に、前記いずれかの基地局から前記携帯端末への通話依頼を受信させ、
前記通話依頼が受信された場合、検出された前記いずれかの基地局を識別する基地局情報を、前記第２の通信手段により、前記携帯端末へ通知し、
前記基地局情報が通知された場合、前記制御手段による前記通信機能の実行を停止する、
処理を実行することを特徴とする付記２４または２６に記載の通信方法。
【０２３０】
（付記２８）前記通信装置が、
前記第２の通信手段により、前記携帯端末から前記通信機能の実行の停止依頼を受信し、
前記停止依頼が受信された場合、検出された前記いずれかの基地局を識別する基地局情報を、前記第２の通信手段により、前記携帯端末に通知し、
前記基地局情報が通知された場合、前記制御手段による前記通信機能の実行を停止する、
処理を実行することを特徴とする付記２５または２６に記載の通信方法。
【０２３１】
（付記２９）前記通信装置が、
前記移動体通信網内の前記いずれかの基地局と通信を行う前記携帯端末の通信機能を一意に特定する特定情報を前記携帯端末から受信し、前記通信機能を実現する複数種類の代替通信手段の中から、受信した前記特定情報に基づいて、前記携帯端末の代替通信手段を抽出する、
処理を実行することを特徴とする付記２４〜２８のいずれか一つに記載の通信方法。
【０２３２】
（付記３０）前記通信装置が、
前記第２の通信手段により、前記通信機能を実現するソフトウェアを一意に特定する特定情報を前記携帯端末から受信する、
処理を実行することを特徴とする付記２４〜２９のいずれか一つに記載の通信方法。
【０２３３】
（付記３１）前記通信装置は、前記第２の通信手段より消費電力が少なくなる通信方式で前記携帯端末と通信を行う第３の通信手段をさらに備え、
前記通信装置が、
前記第３の通信手段により、前記通信機能を実現するソフトウェアを一意に特定する特定情報を前記携帯端末から受信する、
処理を実行することを特徴とする付記２４〜２９のいずれか一つに記載の通信方法。
【０２３４】
（付記３２）前記通信装置が、
前記第３の通信手段により、前記携帯端末に固有の識別情報を受信し、
前記第２の通信手段により、受信された前記識別情報に基づいて前記携帯端末へ接続完了通知を通知する、
処理を実行することを特徴とする付記３１に記載の通信方法。
【０２３５】
（付記３３）移動体通信網内のいずれかの基地局と通信を行う第１の通信手段と、移動体内の通信装置と通信を行う第２の通信手段と、を有する携帯端末が、
前記第２の通信手段による前記通信装置との接続が確立しているか否かを判断し、
前記第２の通信手段による接続が確立していると判断された場合、前記第１の通信手段への電力供給を停止する、
処理を実行することを特徴とする通信方法。
【０２３６】
（付記３４）前記携帯端末は、前記第２の通信手段より消費電力が少なくなる通信方式で前記通信装置と通信を行う第３の通信手段をさらに備え、
前記第３の通信手段により、前記第２の通信手段による前記通信装置と前記携帯端末との接続依頼を、前記通信装置に送信し、
前記第３の通信手段により、前記第２の通信手段による前記通信装置と前記携帯端末との接続完了通知を、前記通信装置から受信する処理を実行し、
前記通信装置との接続が確立しているか否かを判断する処理は、
前記接続完了通知が受信された場合、前記第２の通信手段による接続が確立していると判断することを特徴とする付記３３に記載の通信方法。
【符号の説明】
【０２３７】
Ｓ  通信システム
１００  通信装置
２００  携帯端末
３００  移動体
４００  ３Ｇ網
１１０，２１０  ３Ｇ送受信機
１２０，２２０  Ｗｉｆｉ送受信機
１３０  仮想端末
１４０，２４０  ＲＦＩＤ送受信機
１８１  制御部
１８２  代替通信部
１８０１  検出部
１８０２  第１の受信部
１８０３  第１の転送部
１８０４  第１の送信部
１８０５  第２の受信部
１８０６  第２の転送部
１８０７  第２の送信部
１８０８  第１の依頼受信部
１８０９  通知部
１８１０  停止部
１８１１  特定情報受信部
１８１２  抽出部
１８１３  第３の受信部
１８１４  完了通知部
１８１５  第２の依頼受信部
１９０１  判断部
１９０２  切替部
１９０３  送信部
１９０４  受信部
【図１】
0005760717.tif 000002
【図２】
0005760717.tif 000003
【図３】
0005760717.tif 000004
【図４】
0005760717.tif 000005
【図５】
0005760717.tif 000006
【図６】
0005760717.tif 000007
【図７】
0005760717.tif 000008
【図８】
0005760717.tif 000009
【図９】
0005760717.tif 000010
【図１０】
0005760717.tif 000011
【図１１】
0005760717.tif 000012
【図１２】
0005760717.tif 000013
【図１３】
0005760717.tif 000014
【図１４】
0005760717.tif 000015
【図１５】
0005760717.tif 000016
【図１６】
0005760717.tif 000017
【図１７】
0005760717.tif 000018
【図１８】
0005760717.tif 000019
【図１９】
0005760717.tif 000020